(57)【特許請求の範囲】
【請求項１】
アウターハウジング内に収容される端子モジュールであって、
信号線の端末に接続される雄型の端子と、
前記端子の延び方向と交差する方向から挿入された前記端子を、その先端部を突出させた状態で収容する収容凹部を備えた第１の端子保持部材と、
前記第１の端子保持部材と組み合わされる第２の端子保持部材とを備え、
前記第２の端子保持部材は、前記第１の端子保持部材に対して前記第１の端子保持部材から突出する前記端子の先端部を覆う端子先端保護位置に組み付けられた状態で前記アウターハウジングに対して前記端子の延び方向と交差する方向から組み付けられ、前記第１の端子保持部材に対して前記端子の延び方向に押し込まれることで前記信号線の端末側に移動した位置に相対移動可能とされている端子モジュール。
【請求項２】
前記端子は、複数となっており、複数の前記収容凹部にそれぞれ収容される請求項１に記載の端子モジュール。
【請求項３】
前記第１及び第２の端子保持部材は、前記端子先端保護位置に互いを係止する仮係止部と、前記信号線の端末側に移動した位置に互いを係止する本係止部とを備えている請求項１または請求項２に記載の端子モジュール。
【請求項４】
請求項１から請求項３のいずれか１項に記載の端子モジュールと前記端子モジュールを収容する前記アウターハウジングとを備えたコネクタであって、
前記アウターハウジングが金属製の外導体シェルであるコネクタ。
【請求項５】
前記外導体シェルは、２つに分割されており、
一方の外導体シェルには、前記第２の端子保持部材によって前記端子の先端部が覆われた状態での前記第１の端子保持部材及び前記第２の端子保持部材よりも大きい開口部が設けられており、
他方の外導体シェルは前記開口部を覆う請求項４に記載のコネクタ。
【請求項６】
請求項１から請求項３のいずれか１項に記載の端子モジュールと前記端子モジュールを収容する前記アウターハウジングとを備えたコネクタであって、
前記アウターハウジングが合成樹脂製のコネクタハウジングであって、前記端子モジュールを前記端子の先端部から前記端子の延び方向に挿入するための挿入用開口部を有するコネクタ。
【請求項７】
前記第２の端子保持部材には、前記アウターハウジングに係合可能な第２係合部が設けられている請求項４から請求項６のいずれか一項に記載のコネクタ。
【請求項８】
前記第１の端子保持部材には、前記信号線の端末側に移動した位置において、前記アウターハウジングに対して係止可能な第１係止部が設けられている請求項７に記載のコネクタ。
【請求項９】
前記第１の端子保持部材には、前記端子を係止する端子係止部と、前記アウターハウジングに係合可能な第１係合部とが設けられている請求項４から請求項６のいずれか一項に記載のコネクタ。
【発明の詳細な説明】
【技術分野】
【０００１】
本発明は、端子モジュール及びこの端子モジュールを収容するコネクタに関する。
【背景技術】
【０００２】
高周波用のシールド電線では、複数本の信号線の周りをシールド層が覆い、その周りをさらに絶縁被覆で覆うことで、電磁ノイズを外部に輻射しにくくすると共に、外部からの電磁ノイズの影響を受けにくくしている。このようなシールド電線を介して回路接続する際には、専用のコネクタが用いられる。このようなコネクタの一例として、特開２０１３−２２９２５５号公報（下記特許文献１）に記載のシールドコネクタが知られている。【０００３】
このシールドコネクタの組み立て方法について説明する。このシールドコネクタでは、シールド電線の端末の絶縁被覆を皮剥ぎしてシールド層を露出した状態で、信号線の導体部分に内導体端子（雄端子）を接続する。そして、この内導体端子の先端が突き出た状態で合成樹脂製のインナーハウジングに収容する。その後、箱形の外導体シェル（特許文献１ではシールドシェルと称す）に対してインナーハウジングを挿入して、インナーハウジングを外導体シェルの所定位置内に収容している。そして、最後に、露出されたシールド層を外導体シェルのバレル（特許文献１ではバレル部と称す）でカシメ付けることによって、シールド層を外導体シェルに接続する。
【先行技術文献】
【特許文献】
【０００４】
【特許文献１】特開２０１３−２２９２５５号公報
【発明の概要】
【発明が解決しようとする課題】
【０００５】
ところが、特開２０１３−２２９２５５号公報（上記特許文献１）に記載のシールドコネクタでは、内導体端子の先端部が露出した状態にあるため、外導体シェル内に収容する際に外部と接触して変形する虞がある。また、外導体シェルに限らず、インナーハウジングを収容するアウターハウジング内に収容する際に、内導体端子の先端部がアウターハウジング等と接触して変形する虞がある。
【課題を解決するための手段】
【０００６】
本明細書で開示される端子モジュールは、アウターハウジング内に収容される端子モジュールであって、信号線の端末に接続される雄型の端子と、前記端子の延び方向と交差する方向から挿入された前記端子を、その先端部を突出させた状態で収容する収容凹部を備えた第１の端子保持部材と、前記第１の端子保持部材と組み合わされる第２の端子保持部材とを備え、前記第２の端子保持部材は、前記第１の端子保持部材から突出する前記端子の先端部を覆う端子先端保護位置から前記信号線の端末側に相対移動可能とされている。【０００７】
このような構成によると、端子を収容可能な端子保持部材は、第１の端子保持部材と第２の端子保持部材に分割されている。そして、第２の端子保持部材によって第１の端子保持部材から突出する端子の先端部が覆われており、第２の端子保持部材が信号線の端末側に相対移動することで、第２の端子保持部材の先方に端子の先端部が突出して露出した状態とされる。つまり、端子の先端部が第２の端子保持部材に覆われて保護された状態で、アウターハウジング内に収容することができるので、アウターハウジングに収容する際等の端子の変形を抑制することができる。【０００８】
本明細書に開示される端子モジュールの実施の態様として、以下の構成としても良い。
前記端子は、複数となっており、複数の前記収容凹部にそれぞれ収容される構成としても良い。【０００９】
一般的に、信号線は、複数の信号線をまとめてシールド層で覆ったり、対となる信号線同士をツイストしたりすることで、ノイズの影響を受けにくくしている。しかしながら、信号線と端子との接続部分は、シールド層を剥がしたり、ツイストを解いたりする必要がある。そして、端子保持部材に端子を複数収容する際には、１つずつ収容するため、端子の延び方向から端子を端子保持部材に収容する場合には、他の端子を端子の延び方向に退避させるため、端子の長さ寸法分以上のシールド層を剥がしたり、ツイストを解いたりする必要がある。そこで、上記構成のように、端子の延び方向と交差する方向に設けられた開口から端子保持部材に端子を収容する場合には、１つの端子を対応する収容凹部に収容する際に、他の端子を収容凹部の外側に退避させるだけなので、端子の延び方向から端子を収容する場合に比べて、シールド層を剥がしたり、ツイストを解いたりする寸法が小さくても良い。そのため、ノイズの影響を受けにくくなる。【００１０】
また、前記第１及び第２の端子保持部材は、前記端子先端保護位置に互いを係止する仮係止部と、前記信号線の端末側に移動した位置に互いを係止する本係止部とを備えている構成としても良い。【００１１】
このような構成によると、仮係止部によって、第１の端子保持部材と第２の端子保持部材とが端子の先端部が第２の端子保持部材によって覆われた状態（端子先端保護位置）に係止されていることから、アウターハウジングへの収容中などに、第１の端子保持部と第２の端子保持部とが不用意に相対移動して、端子の先端部が露出する虞がない。また、本係止部によって、第１の端子保持部材と第２の端子保持部材とが端子の先端部が露出した状態（信号線の端末側に移動した位置）に係止されていることから、不用意に第１の端子保持部と第２の端子保持部とが相対移動して、端子の先端部が覆われた状態に戻ることがない。【００１２】
また、本明細書に開示される端子モジュールを用いたコネクタの実施の態様として、以下の構成としても良い。
端子モジュールと前記端子モジュールを収容する前記アウターハウジングとを備えたコネクタであって、前記アウターハウジングが金属製の外導体シェルである構成としても良い。【００１３】
端子の先端部が露出していると、外導体シェルに接触する虞がある。そこで、このような端子モジュールを用いると、端子の先端部が第２の端子保持部材によって覆われているため、端子の先端部が外導体シェルに接触して変形する虞がなくなる。【００１４】
前記外導体シェルは、２つに分割されており、一方の外導体シェルには、前記第２の端子保持部材によって前記端子の先端部が覆われた状態での前記第１の端子保持部材及び前記第２の端子保持部材よりも大きい開口部が設けられており、他方の外導体シェルは前記開口部を覆う構成としても良い。【００１５】
このような構成では、外導体シェルが２つに分割されており、一方の外導体シェルには、第２の端子保持部材によって端子の先端部が覆われた状態での第１の端子保持部材及び第２の端子保持部材よりも大きい開口部が設けられている。そのため、第１の端子保持部材及び第２の端子保持部材を開口部から挿入しやすくなるため作業性が向上する。また、開口部を他方の外導体シェルが覆うために、開口部を設けることによって周波数特性が悪化することを抑制できる。【００１６】
また、端子モジュールと前記端子モジュールを収容する前記アウターハウジングとを備えたコネクタであって、前記アウターハウジングが合成樹脂製のコネクタハウジングであって、前記端子モジュールを前記端子の先端部から前記端子の延び方向に挿入するための挿入用開口部を有する構成としても良い。【００１７】
このような構成によると、コネクタハウジングの端子の延び方向に設けられた挿入用開口部から端子モジュールを挿入するため、端子の先端部が最初に挿入されるために、端子の先端部を露出した状態では端子の先端部をコネクタハウジングの壁面に接触しやすい。そのため、所定位置に収容されるまでは、端子の先端部が保護される端子モジュールを用いるのが好適である。【００１８】
前記第２の端子保持部材には、前記アウターハウジングに係合可能な第２係合部が設けられている構成としても良い。【００１９】
このような構成では、第２の端子保持部材と第１の端子保持部材を相対移動させる際に、第２の端子保持部材をアウターハウジングに対して固定することができ、第１の端子保持部材を第２の端子保持部材に対して移動させやすくなる。【００２０】
前記第１の端子保持部材には、前記信号線の端末側に移動した位置において、前記アウターハウジングに対して係止可能な第１係止部が設けられている構成としても良い。【００２１】
このような構成では、第１の端子保持部材を移動させて、信号線の端末側に移動した位置となって端子の先端部がアウターハウジング内で第２の端子保持部材から突き出た状態（相手側コネクタと嵌合可能な状態）では、第１の端子保持部材がアウターハウジングに係止される。そのため、相手側コネクタと嵌合可能な状態になった後に、意図せず第１の端子保持部材が移動することを抑制することができる。【００２２】
前記第１の端子保持部材には、前記端子を係止する端子係止部と、前記アウターハウジングに係合可能な第１係合部とが設けられている構成としても良い。【００２３】
このような構成では、第１の端子保持部材を第２の端子保持部材に対して相対的に移動させる際に、第１の端子保持部材をアウターハウジングに対して固定することができ、第２の端子保持部材を第１の端子保持部材に対して移動させやすくなる。また、端子は端子係止部によって第１の端子保持部材に係止されており、第１の端子保持部材はアウターハウジングに固定されており移動しないことから、第２の端子保持部材を移動させるタイミングを遅くすることができる。
【発明の効果】
【００２４】
本明細書に開示された端子モジュール及びコネクタによれば、雄型の端子の先端部を保護することができる。
【図面の簡単な説明】
【００２５】
【図１】実施形態１におけるシールドコネクタの正面図
【図２】シールドコネクタの平面図
【図３】シールドコネクタの側面図
【図４】シールドコネクタの底面図
【図５】シールド電線に接続された端子の底面図
【図６】ロアー外導体シェルの平面図
【図７】ロアー外導体シェルの側面図
【図８】ロアー外導体シェルの底面図
【図９】アッパー外導体シェルの平面図
【図１０】アッパー外導体シェルの側面図
【図１１】アッパー外導体シェルの底面図
【図１２】ロアー端子保持部材の背面図
【図１３】ロアー端子保持部材の平面図
【図１４】ロアー端子保持部材の底面図
【図１５】アッパー端子保持部材の正面図
【図１６】アッパー端子保持部材の平面図
【図１７】アッパー端子保持部材の側面図
【図１８】アッパー端子保持部材の底面図
【図１９】アッパー端子保持部材の背面図
【図２０】図１９におけるＸＸ−ＸＸ位置での断面図
【図２１】端子をロアー端子保持部材に組み付ける前の状態の斜視図
【図２２】端子をロアー端子保持部材に組み付ける前の状態の断面図
【図２３】ロアー端子保持部材をアッパー端子保持部材に組み付ける前の状態の斜視図
【図２４】ロアー端子保持部材をアッパー端子保持部材に組み付ける前の状態の断面図
【図２５】端子保持部材をロアー外導体シェルに組み付ける前の状態の斜視図
【図２６】端子保持部材をロアー外導体シェルに組み付ける前の状態の断面図
【図２７】ロアー端子保持部材を前方に移動する前の状態の斜視図
【図２８】ロアー端子保持部材を前方に移動する前の状態の断面図
【図２９】アッパー外導体シェルをロアー外導体シェルに組み付ける前の状態の斜視図
【図３０】アッパー外導体シェルをロアー外導体シェルに組み付ける前の状態の断面図
【図３１】アッパー外導体シェルをロアー外導体シェルに組み付けた前の状態の斜視図
【図３２】実施形態２における端子モジュールの分解正面図
【図３３】端子モジュールの分解背面図
【図３４】端子モジュールの分解側面図
【図３５】端子モジュールの下方からの分解斜視図
【図３６】アッパー端子保持部材の平面図
【図３７】アッパー端子保持部材の底面図
【図３８】図３７におけるＡＡ−ＡＡ位置での断面図
【図３９】ロアー端子保持部材の平面図
【図４０】図３９におけるＡＢ−ＡＢ位置での断面図
【図４１】ロアー外導体シェルの下方からの斜視図
【図４２】ロアー外導体シェルの平面図
【図４３】アッパー外導体シェルの下方からの斜視図
【図４４】アッパー外導体シェルの側面図
【図４５】コネクタハウジングの上後方からの斜視図
【図４６】コネクタハウジングの下後方からの斜視図
【図４７】コネクタハウジングの正面図
【図４８】図４７におけるＡＣ−ＡＣ位置での断面図
【図４９】端子がアッパー端子保持部材に保持された状態の一部切り欠き断面図
【図５０】ロアー端子保持部材をアッパー端子保持部材に組み付ける前の状態の斜視図
【図５１】ロアー端子保持部材をアッパー端子保持部材に組み付けた後の状態の斜視図
【図５２】ロアー端子保持部材をアッパー端子保持部材に組み付けた後の状態の平面図
【図５３】図５２におけるＡＤ−ＡＤ位置での断面図
【図５４】ロアー端子保持部材をアッパー端子保持部材に組み付けた後の状態の断面図
【図５５】端子保持部材をロアー外導体シェルに組み付ける前の状態の斜視図
【図５６】端子保持部材をロアー外導体シェルに組み付ける途中の状態の斜視図
【図５７】端子保持部材をロアー外導体シェルに組み付ける途中の状態の断面図
【図５８】端子保持部材をロアー外導体シェルに組み付けた後の状態の斜視図
【図５９】端子保持部材をロアー外導体シェルに組み付けた後の状態の正面図
【図６０】図５９におけるＡＥ−ＡＥ位置での断面図
【図６１】端子保持部材をロアー外導体シェルに組み付けた後の状態の側面図
【図６２】図６１におけるＡＦ−ＡＦ位置での断面図
【図６３】図６１におけるＡＧ−ＡＧ位置での断面図
【図６４】図６１におけるＡＨ−ＡＨ位置での断面図
【図６５】図６１におけるＡＩ−ＡＩ位置での断面図
【図６６】アッパー外導体シェルをロアー外導体シェルに組み付ける前の状態の斜視図
【図６７】アッパー外導体シェルをロアー外導体シェルに組み付けた後の状態の斜視図
【図６８】アッパー外導体シェルをロアー外導体シェルに組み付けた後の状態の側面図
【図６９】図６８におけるＡＪ−ＡＪ位置での断面図
【図７０】図６８におけるＡＬ−ＡＬ位置での断面図
【図７１】コネクタサブアッシーをコネクタハウジングに組み付ける前の状態の斜視図
【図７２】コネクタサブアッシーをコネクタハウジングに組み付けた後の状態の背面図
【図７３】図７２におけるＡＭ−ＡＭ位置での断面図
【図７４】図７２におけるＡＮ−ＡＮ位置での断面図
【図７５】コネクタを治具にセットする前の状態の斜視図
【図７６】コネクタを治具にセットした状態での断面図
【図７７】コネクタを治具から外した状態での断面図
【図７８】図７７におけるＡＯ−ＡＯ位置での断面図
【図７９】図７８におけるＡＰ−ＡＰ位置での断面図
【図８０】コネクタサブアッシーを治具にセットする前の状態の斜視図
【図８１】コネクタサブアッシーを治具にセットした状態での断面図
【図８２】コネクタサブアッシーを治具から外した状態での断面図
【図８３】実施形態３における端子モジュールの下方からの分解斜視図
【図８４】アッパー端子保持部材の平面図
【図８５】アッパー端子保持部材の底面図
【図８６】アッパー端子保持部材の側面図
【図８７】アッパー端子保持部材の背面図
【図８８】ロアー端子保持部材の底面図
【図８９】ロアー端子保持部材の平面図
【図９０】図８９におけるＢＡ−ＢＡ位置での断面図
【図９１】図８９におけるＢＢ−ＢＢ位置での断面図
【図９２】ロアー端子保持部材の背面図
【図９３】コネクタハウジングの背面図
【図９４】図９３におけるＢＣ−ＢＣ位置での断面図
【図９５】端子がアッパー端子保持部材に保持される前の状態の断面図
【図９６】ロアー端子保持部材をアッパー端子保持部材に組み付ける前の状態の斜視図
【図９７】ロアー端子保持部材をアッパー端子保持部材に組み付けた後の状態の下方からの斜視図
【図９８】ロアー端子保持部材をアッパー端子保持部材に組み付けた後の状態の正面図
【図９９】ロアー端子保持部材をアッパー端子保持部材に組み付けた後の状態の平面図
【図１００】ロアー端子保持部材をアッパー端子保持部材に組み付けた後の状態の底面図
【図１０１】図１００におけるＢＤ−ＢＤ位置での断面図
【図１０２】図１００におけるＢＥ−ＢＥ位置での断面図
【図１０３】端子モジュールをコネクタハウジングに組み付ける前の状態の斜視図
【図１０４】端子モジュールをコネクタハウジングに組み付けた後の状態の正面図
【図１０５】図１０４におけるＢＦ−ＢＦ位置での断面図
【図１０６】図１０５におけるＢＧ−ＢＧ位置での断面図
【図１０７】図１０５におけるＢＨ−ＢＨ位置での断面図
【図１０８】図１０７におけるＢＩ−ＢＩ置での断面図
【図１０９】コネクタを治具にセットした状態での斜視図
【図１１０】コネクタを治具にセットした状態での断面図
【図１１１】コネクタを治具から外した状態での断面図
【図１１２】図１１１におけるＢＪ−ＢＪ位置での断面図
【図１１３】図１１２におけるＢＫ−ＢＫ位置での断面図
【発明を実施するための形態】
【００２６】
＜実施形態１＞
実施形態１について図１から図３１を参照して説明する。
本実施形態の端子モジュールＭ１及びコネクタＣ１は、信号線を多数本有する多極シールド電線に用いられるものである。本実施形態の端子モジュールＭ１は、図２３に示すように、シールド電線１０の信号線１１に接続された端子２０と、この端子２０を保持する端子保持部材６０とを備えている。そして、本実施形態のコネクタＣ１は、図３０及び図３１に示すように、端子モジュールＭ１と、外導体シェル３０とを備えている。なお、以下の説明において、前後方向については、図２の左側（コネクタＣ１の嵌合方向）を前側とし、図２の右側（シールド電線１０側）を後側とする。また、上下方向については、図３を基準とし、図３の上側を上側、図３の下側を下側とする。
【００２７】
シールド電線１０は、図５に示すように、複数本（本実施形態では２本）の信号線１１を束ねて、その周りをシールド層１３が覆い、その周りをさらに絶縁被覆１５で覆うことで構成されている。信号線１１は、内部導体１１Ａが内部絶縁被覆１１Ｂによって覆われることで形成されている。また、信号線１１は、信号を伝えるための電線であって、内部導体１１Ａの芯径が細いものとされている。シールド電線１０の端末では、端子２０との接続のために、絶縁被覆１５及びシールド層１３が剥ぎ取られ、信号線１１を露出させる。また、絶縁被覆１５はシールド層１３より長く剥ぎ取られており、シールド層１３も露出する。
【００２８】
端子２０は、図５及び図２２に示すように、雄型の端子金具であって、導電性の金属板をプレス加工することによって成形されている。端子２０は、タブ状の電気接続部２１（「先端部」の一例）と、信号線１１に圧着される圧着部２３（「接続部分」の一例）と、電気接続部２１と圧着部２３との間に設けられた端子被係止部２５とを備えている。また、端子被係止部２５と電気接続部２１との間は、先端側にいくほど小さくなるテーパー部２７となっている。圧着部２３は、オープンバレル形式の圧着片となっており、内部導体１１Ａにかしめ付けられるワイヤバレル２３Ａと、内部絶縁被覆１１Ｂにかしめ付けられるインシュレーションバレル２３Ｂとを備えている。
【００２９】
端子被係止部２５は、図２２に示すように、箱形をしており、端子２０の前後方向の寸法の略３分の１を占めている。端子被係止部２５には、下方に突出する２つの凸部２５Ａ、２５Ｂと、２つの凸部２５Ａ、２５Ｂの間に設けられた開口状の凹部２５Ｃとが設けられている。２つの凸部２５Ａ、２５Ｂのうち、前方の凸部２５Ａは、その前端部がテーパー部２７に連なるような傾斜面となっている。また、端子被係止部２５の凸部２５Ａ、２５Ｂは、図５に示すように、一側方に寄っており、端子被係止部２５における凸部２５Ａ、２５Ｂと反対側の側方は凹部２５Ｃと連通した係止部開口２５Ｄとなっている。
【００３０】
外導体シェル３０は、図３、図４及び図２９に示すように、上下方向（端子２０の延び方向に直交する方向）に２つに分割されており、ロアー外導体シェル３１（「一方の外導体シェル」の一例）とアッパー外導体シェル３３（「他方の外導体シェル」の一例）を組み合わせることで構成されている。また、外導体シェル３０は、端子保持部材６０を収容する角筒状の本体部３５と、シールド電線１０のシールド層１３と接続されるバレル部３７を備えている。
【００３１】
ロアー外導体シェル３１は、導電性板材をプレス成形することで形成されている。そして、ロアー外導体シェル３１は、図７及び図２９に示すように、本体部３５の一部を構成する角筒状のロアー本体部４１と、バレル部３７の一部を構成するロアーバレル部４３とを備えている。
【００３２】
ロアー本体部４１は、図２５及び図３０に示すように、前後方向に開口した略角筒状をしており、ロアー本体部４１の前端部４１Ａは四面が囲われている。一方、ロアー本体部４１の後端部４１Ｂには、上方へ全て開口した本体側開口部４１Ｃが設けられており、後端部４１Ｂは、断面視コの字状になっている。また、ロアー本体部４１の前端部４１Ａには、端子２０の電気接続部２１が収容されており、後端部４１Ｂには、端子保持部材６０が収容される。ロアー本体部４１の後端部４１Ｂの前後方向の寸法は、端子保持部材６０の前後方向の寸法とほぼ同じとなっている。
【００３３】
そして、図６及び図７に示すように、ロアー本体部４１の後端部４１Ｂの両側面には、内側に向かって叩き出された係止突部４５が設けられている。また、ロアー本体部４１の後端部４１Ｂには、その両側面の上縁から下方に矩形状に切欠かれた切欠き部４７が設けられている。切欠き部４７は、ロアー本体部４１の上下方向の寸法の略半分程度を切り欠いており、本体側開口部４１Ｃが設けられた位置の前端部に設けられている。そして、ロアー本体部４１の底板には、後記する端子保持部材６０の係止部７５を係止可能な被係止部４９が設けられている。被係止部４９は、略矩形状で、板厚方向に貫通した孔となっている。
【００３４】
ロアーバレル部４３は、図７及び図２５に示すように、ロアー本体部４１から連設された底板部４３Ａと、底板部４３Ａから上方に立ち上がるバレル片４３Ｂとを備えている。また、ロアーバレル部４３の底板部４３Ａは、断面視円弧状となっており、その下端位置はロアー本体部４１の下端位置よりも下になっている。また、ロアーバレル部４３は、上方に開口しており、ロアー本体部４１の本体側開口部４１Ｃとあわせて、端子保持部材６０を挿入可能なロアー外導体シェル３１の開口部３１Ａとなっている。
【００３５】
アッパー外導体シェル３３は、導電性板材をプレス成形することで形成されている。そして、アッパー外導体シェル３３は、図１０及び図２９に示すように、本体部３５の一部を構成するアッパー本体部５１と、バレル部３７の一部を構成するアッパーバレル部５３とを備えている。また、アッパー外導体シェル３３は、ロアー外導体シェル３１の開口部３１Ａを上方から覆っている。
【００３６】
アッパー本体部５１は、ロアー本体部４１の底板と略平行な天板５１Ａと、天板５１Ａの側端から略Ｌ字状に折り曲げられた一対の側面板５１Ｂとによって形成されており、前後方向に開口した断面視コの字状となっている。また、アッパー本体部５１の天板５１Ａは、ロアー本体部４１の本体側開口部４１Ｃを覆っており、アッパー本体部５１の両側面板５１Ｂの外面は、ロアー本体部４１の後端部４１Ｂの両側面の内面と接触する。つまり、アッパー本体部５１の両側面板５１Ｂは、ロアー本体部４１の後端部４１Ｂの内側に入り込むようにして重なっている。そして、アッパー本体部５１がロアー本体部４１に重なると、前後方向に開口した角筒状の本体部３５となっている。また、アッパー本体部５１の前後方向の寸法は、端子保持部材６０の前後方向の寸法とほぼ同じとなっている。
【００３７】
また、アッパー本体部５１の両側面板５１Ｂの前端部分は、外側に叩き出された叩き出し片５５となっており、叩き出し片５５は切欠き部４７が設けられた位置に配されている。そして、アッパー本体部５１の両側面板５１Ｂには、ロアー本体部４１の係止突部４５に対応する位置に、板厚方向に貫通する係止孔５７が設けられている。また、アッパー本体部５１の天板５１Ａの前端位置には、上方に突出したランス係止部５９が設けられている。ランス係止部５９は、本実施形態においては図示しないコネクタハウジングのランスが係止することで、コネクタハウジング内で外導体シェル３０を位置決め可能となっている。
【００３８】
アッパーバレル部５３は、アッパー本体部５１から連設された上板部５３Ａと、上板部５３Ａから下方に延びるバレル片５３Ｂとを備えている。また、アッパーバレル部５３の上板部５３Ａは、断面円弧状となっており、その上端位置はアッパー本体部５１の上端位置よりも上になっている。そして、アッパーバレル部５３がロアーバレル部４３に覆いかぶさると、アッパーバレル部５３の上板部５３Ａとロアーバレル部４３の底板部４３Ａとによって円筒形状になる。そのバレル部３７の円筒状の部分に各バレル片４３Ｂ、５３Ｂがかしめ付けられて、バレル部３７がシールド電線１０のシールド層１３と接続される。
【００３９】
端子保持部材６０は、図２３に示すように、上下方向（端子２０の延び方向に直交する方向）に２つに分割されており、ロアー端子保持部材６１（「第１の端子保持部材」の一例）とアッパー端子保持部材６５（「第２の端子保持部材」の一例）とを組み合わせることで構成されている。また、ロアー端子保持部材６１は、アッパー端子保持部材６５に対して、端子２０の延び方向に沿ってスライド移動可能なようになっている。
【００４０】
ロアー端子保持部材６１は、合成樹脂製であって、図１２及び図２１に示すように、シールド電線１０の端子２０の圧着部２３及び端子被係止部２５を保持する。また、ロアー端子保持部材６１は、底部７１と、底部７１から略Ｌ字状に立ち上がる一対の側壁部７３とを備えており、上方及び前後方向が開口した正面視略コの字状をしている。また、底部７１と両側壁部７３との間の角部の外形形状は、Ｒ形状となっている。なお、底部７１の前端部には前方に行くほど上方になるテーパー面７１Ａが設けられている。そして、底部７１の後端部の下面には、下方に向かって突出する係止部７５が設けられている。係止部７５は矩形状であって、ロアー外導体シェル３１の被係止部４９（図６参照）に係止する。
【００４１】
そして、図１３及び図２２に示すように、両側壁部７３の間には、端子２０の間を仕切る仕切壁７７が設けられている。仕切壁７７は、両側壁部７３の上端位置と同じ位置まで底部７１から上方に突出している。そして、各側壁部７３と仕切壁７７と底部７１とに囲まれた領域が、端子２０の圧着部２３及び端子被係止部２５を収容する収容凹部７８となっている。収容凹部７８は、上方に開口しており、電気接続部２１を突出させた状態で端子２０を上方から収容可能としている。また、各側壁部７３と仕切壁７７との間（収容凹部７８）の内寸は、前端部分（前方４分の１）は端子被係止部２５の外寸とほぼ同じになっている。各側壁部７３と仕切壁７７との間（収容凹部７８）の内寸は、後方に行くにつれて広がり、後半部分（後方２分の１）の内寸は圧着部２３の外寸とほぼ同じか若干大きくなっている。
【００４２】
また、図１３及び図２２に示すように、底部７１の上面には、端子被係止部２５の凹部２５Ｃ及び凹部２５Ｃに連通する係止部開口２５Ｄに嵌る端子係止部７９が設けられている。端子係止部７９の上端位置は、底部７１のテーパー面７１Ａの上端位置よりも若干低くなっている。端子係止部７９は、ロアー端子保持部材６１の仕切壁７７と側壁部７３との内寸の３分の１程度の幅寸法の幅狭部７９Ａと、仕切壁７７と側壁部７３との内寸と同じ幅寸法の第１拡幅部７９Ｂと、第１拡幅部７９Ｂより後方に設けられ仕切壁７７と側壁部７３との内寸と同じ幅寸法の第２拡幅部７９Ｃとを備えている。端子係止部７９の幅狭部７９Ａは、ロアー端子保持部材６１の前端から端子２０のワイヤバレル２３Ａが収容される位置まで設けられており、凹部２５Ｃ及び係止部開口２５Ｄに嵌る。第１拡幅部７９Ｂは、端子被係止部２５の前方の凸部２５Ａの後端に第１拡幅部７９Ｂの前端が係止するように設けられており、第２拡幅部７９Ｃは、端子被係止部２５の後方の凸部２５Ｂの後端に第２拡幅部７９Ｂの前端が係止するように設けられている。なお、端子被係止部２５の前方の凸部２５Ａの前端部がテーパー面７１Ａ上に配されている。
【００４３】
そして、図１２及び図２１に示すように、両側壁部７３から幅方向外側に突出するようにレール部８１が設けられている。レール部８１は、ロアー端子保持部材６１の前端から後端まで前後方向（端子２０の延び方向）に延びている。そして、レール部８１の上端位置は側壁部７３の上端位置と同じになっており、側壁部７３の上面からレール部８１の側面に向かってＲ形状を描くようになっている。また、レール部８１の上下方向の寸法は、ロアー端子保持部材６１の上下方向の寸法の半分程度となっており、レール部８１の幅方向の突出寸法は、側壁部７３の幅方向の寸法（板厚）と同じになっている。
【００４４】
アッパー端子保持部材６５は、合成樹脂製であって、図１９及び図２３に示すように、後方及び下方に開口した箱形をしている。アッパー端子保持部材６５は、後方開口６５Ａからロアー端子保持部材６１を挿入可能となっている。アッパー端子保持部材６５は、前壁部８５と、一対の側壁部８７と、天井壁部８９とを備えている。前壁部８５は、正面視略矩形状をしており、その中央部分に端子２０の電気接続部２１を挿通するための端子挿通孔９１が設けられる。端子挿通孔９１は、端子２０のテーパー部２７の形状に合わせて、先端にいくほど小さくなるようになっている。そして、端子２０の電気接続部２１がアッパー端子保持部材６５から突出した状態では、テーパー部２７が端子挿通孔９１に嵌まる。
【００４５】
アッパー端子保持部材６５の側壁部８７は、ロアー端子保持部材６１の側壁部７３を覆っている。アッパー端子保持部材６５の側壁部８７の幅方向の寸法は、ロアー端子保持部材６１の側壁部７３の幅方向の寸法よりも大きくなっている。アッパー端子保持部材６５の側壁部８７の内面形状は、ロアー端子保持部材６１の外形形状に沿っており、レール部８１が嵌合して摺動するガイド溝９３が設けられている。
【００４６】
天井壁部８９は、図１、図１８及び図２３に示すように、ロアー端子保持部材６１の上方を覆っており、アッパー端子保持部材６５の上下方向の寸法の半分程度を占めている。天井壁部８９の幅方向の外形寸法は、アッパー外導体シェル３３のアッパー本体部５１の両側面板５１Ｂの間の内寸法よりも若干小さくなっている。そのため、天井壁部８９よりも幅広な側壁部８７との間に段差ができている。また、天井壁部８９の下面には、端子２０の底面の形状に沿った上側収容凹部８９Ａが設けられている。上側収容凹部８９Ａの内寸は、収容凹部７８と同様に、前端部分は端子被係止部２５の外寸とほぼ同じになっている。上側収容凹部８９Ａの内寸は、後方に行くにつれて広がり、後半部分内寸は圧着部２３の外寸とほぼ同じか若干大きくなっている。そして、上側収容凹部８９Ａの後端部は、徐々に上側にも広がるようになっている。
【００４７】
そして、天井壁部８９の前端部の側面には、図１５及び図２５に示すように、ロアー外導体シェル３１の切欠き部４７に係合する係合部９５（「第２係合部」の一例）が設けられている。係合部９５は、天井壁部８９の側壁部７３との段差位置を下端として、側壁部７３よりも幅方向外側に突出している。係合部９５の側面が、ロアー外導体シェル３１のロアー本体部４１の側面と面一になっている。また、係合部９５の前後方向の寸法は、切欠き部４７の前後方向の寸法と同じになっており、切欠き部４７の孔縁が係合部９５に当接することで、アッパー端子保持部材６５が前後方向に移動するのを規制する。
【００４８】
次に、コネクタＣ１の組み立て手順の一例について説明する。
まず、図５に示すように、シールド電線１０の絶縁被覆１５を皮剥ぎして、信号線１１の端末とシールド層１３を露出させる。そして、信号線１１を端子２０に接続する。具体的には、信号線１１の内部導体１１Ａを圧着部２３のワイヤバレル２３Ａに圧着するとともに、信号線１１の内部絶縁被覆１１Ｂに圧着部２３のインシュレーションバレル２３Ｂがかしめ付けられる。
【００４９】
次に、図２１及び図２２に示すように、シールド電線１０の信号線１１に接続された端子２０をロアー端子保持部材６１に収容する。各端子２０が各収容凹部７８に収容されるように、ロアー端子保持部材６１の上方から端子２０を収容する。このように、上方に開口した収容凹部７８に端子２０を収容する場合には、１つの端子２０を対応する一方の収容凹部７８に収容する際に、他の端子２０を一方の収容凹部７８の外側に退避させるだけなので、端子２０の延び方向から端子２０を収容する場合に比べて、シールド層１３を剥がす寸法が小さくても良くなる。そのため、ノイズの影響を受けにくくなる。
【００５０】
そして、端子被係止部２５の凹部２５Ｃ及び係止部開口２５Ｄに端子係止部７９が嵌り、端子被係止部２５が収容凹部７８に収容されることで、端子２０がロアー端子保持部材６１に対して移動しない状態で保持される。この際に、端子２０の電気接続部２１は、ロアー端子保持部材６１の前端から突出した状態で保持される。
【００５１】
そして、図２３及び図２４に示すように、端子２０が収容されたロアー端子保持部材６１をアッパー端子保持部材６５と組み合わせる。具体的には、ロアー端子保持部材６１をアッパー端子保持部材６５の後方開口６５Ａから挿入する。そして、ロアー端子保持部材６１のレール部８１がアッパー端子保持部材６５のガイド溝９３と摺動しながら、ロアー端子保持部材６１は前方に押し込まれる。そして、図２６に示すように、端子２０の電気接続部２１がアッパー端子保持部材６５の端子挿通孔９１にかかった位置（端子先端保護位置）で押し込みを停止する。端子先端保護位置では、ロアー端子保持部材６１から突出する端子２０の先端部である電気接続部２１が、アッパー端子保持部材６５によって覆われた状態で保持されている。
【００５２】
次に、図２５及び図２６で示すように、端子保持部材６０をロアー外導体シェル３１に収容する。アッパー端子保持部材６５がロアー本体部４１内に収容されるように、端子保持部材６０を上方からロアー外導体シェル３１の開口部３１Ａに挿入する。この際に、ロアー外導体シェル３１の開口部３１Ａは、ロアー端子保持部材６１がアッパー端子保持部材６５の後方に飛び出た状態の端子保持部材６０よりも大きくなっていることから、簡単に端子保持部材６０をロアー外導体シェル３１内に収容することができる。また、端子２０の先端部である電気接続部２１が、アッパー端子保持部材６５によって覆われていることから、電気接続部２１がロアー外導体シェル３１等に接触して変形することを抑制できる。
【００５３】
そして、図２７及び図２８に示すように、ロアー端子保持部材６１を前方に押し込む。ロアー端子保持部材６１のレール部８１（図２５参照）がアッパー端子保持部材６５のガイド溝９３と摺動しながら、ロアー端子保持部材６１は前方に押し込まれ、ロアー端子保持部材６１がアッパー端子保持部材６５に突き当たるところで停止する。ロアー端子保持部材６１が正規位置（信号線の端末側に移動した位置）に至ると、端子接続部２１が前壁部８５から突出して、ロアー本体部４１の前端部４１Ａ内に収容される。一方、端子被係止部２５と圧着部２３はロアー端子保持部材６１とアッパー端子保持部材６５との間に挟まれて収容される。また、係止部７５（「第１係止部」の一例）が被係止部４９（図６参照）に係止することで、ロアー端子保持部材６１はロアー外導体シェル３１に対して係止される。
【００５４】
ロアー端子保持部材６１がアッパー端子保持部材６５に対して前方に移動する際には、ロアー端子保持部材６１の端子係止部７９に対して端子被係止部２５が嵌り合っていることから、ロアー端子保持部材６１が移動する際に端子２０がずれ動くことが抑制される。また、アッパー端子保持部材６５の係合部９５がロアー外導体シェル３１の切欠き部４７に係合しているため、ロアー端子保持部材６１が移動しても、アッパー端子保持部材６５が移動することを防止できる。そのため、ロアー端子保持部材６１をアッパー端子保持部材６５に対して移動させやすくなっている。
【００５５】
そして、図２９及び図３０に示すように、ロアー外導体シェル３１の開口部３１Ａを覆うようにアッパー外導体シェル３３を上方から組み付ける。アッパー本体部５１の側面板５１Ｂがロアー本体部４１の側面の内側に入り込むようにして、アッパー外導体シェル３３を組み付ける。また、叩き出し片５５が端子係止部７９及び切欠き部４７に対して覆いかぶさる。そして、係止突部４５が係止孔５７に入り込むことで、アッパー本体部５１がロアー本体部４１に固定される。一方で、ロアーバレル部４３とアッパーバレル部５３も組み合せられることで、円筒状のバレル部３７がシールド層１３を覆う。そして、図２９及び図３１に示すように、バレル部３７のバレル片４３Ｂ、５３Ｂをシールド層１３にかしめ付けることで、バレル部３７とシールド層１３が接続されるとともにバレル部３７もバレル片４３Ｂ、５３Ｂで互いに固定される。また、ロアー外導体シェル３１の開口部３１Ａをアッパー外導体シェル３３を覆うことができるため、端子保持部材６０を上方から挿入可能な開口部３１Ａを設けていても、アッパー外導体シェル３３とロアー外導体シェル３１とで全体を覆うことにより、周波数特性が悪化することを抑制できる。
【００５６】
以上のように、本実施形態１では、端子２０を収容可能で外導体シェル３０に覆われる端子保持部材６０は、ロアー端子保持部材６１とアッパー端子保持部材６５に分割されている。そして、外導体シェル３０に覆われる前の状態では、アッパー端子保持部材６５が端子先端保護位置にあることで、アッパー端子保持部材６５によって端子２０の先端部（電気接続部２１）が覆われている。そして、外導体シェル３０に覆われた後にアッパー端子保持部材６５とロアー端子保持部材６１とが相対移動することで、アッパー端子保持部材６５が正規位置に移動して、端子２０の電気接続部２１がアッパー端子保持部材６５の先方に突出して露出した状態とされる。つまり、外導体シェル３０に覆われる前は、端子２０の電気接続部２１がアッパー端子保持部材６５に覆われて保護されているため、端子２０の変形を抑制することができる。
【００５７】
＜実施形態２＞
実施形態２について図３２から図８２を参照して説明する。
本実施形態の端子モジュールＭ２及びコネクタＣ２は、信号線を複数本有する多極シールド電線に用いられるものである。本実施形態の端子モジュールＭ２は、図３４及び図３５に示すように、シールド電線１１１０の信号線１１１１に接続された端子１１２０と、この端子１１２０を保持する端子保持部材１２００とを備えている。そして、本実施形態のコネクタＣ２は、図６６及び図７１に示すように、端子モジュールＭ２と、外導体シェル１３００とからなるコネクタサブアッシーＳ２と、コネクタハウジング１４００とを備えている。なお、以下の説明において、前後方向については、図７３の左側（コネクタＣ２の嵌合方向）を前側とし、図７３の右側（シールド電線１１１０側）を後側とする。また、上下方向については、図３２を基準とし、図３２の上側を上側、図３２の下側を下側とする。
【００５８】
シールド電線１１１０は、図３４及び図３５に示すように、複数本（本実施形態では２本）の信号線１１１１を束ねて、その周りをシールド層１１１７が覆い、その周りをさらに絶縁被覆１１１９で覆うことで構成されている。信号線１１１１は、内部導体１１１３が内部絶縁被覆１１１５によって覆われることで形成されている。また、信号線１１１１は、信号を伝えるための電線であって、内部導体１１１３の芯径が細いものとされている。シールド電線１１１０の端末では、端子１１２０との接続のために、絶縁被覆１１１９及びシールド層１１１７が剥ぎ取られ、信号線１１１１を露出させる。また、絶縁被覆１１１９の端末でシールド層１１１７が折り返されて絶縁被覆１１１９の外周に被せられることで、シールド層１１１７も露出する。
【００５９】
端子１１２０は、図３４及び図３５に示すように、雄型の端子金具であって、導電性の金属板をプレス加工することによって成形されている。端子１１２０は、タブ状の電気接続部１１２１（「先端部」の一例）と、信号線１１１１に圧着される圧着部１１２３（「接続部分」の一例）と、電気接続部１１２１と圧着部１１２３との間に設けられた端子被係止部１１３０とを備えている。また、端子被係止部１１３０と電気接続部１１２１との間は、先端側にいくほど小さくなるテーパー部１１２９となっている。圧着部１１２３は、オープンバレル形式の圧着片となっており、内部導体１１１３にかしめ付けられるワイヤバレル１１２５と、内部絶縁被覆１１１５にかしめ付けられるインシュレーションバレル１１２７とを備えている。
【００６０】
端子被係止部１１３０は、図３４及び図３５に示すように、箱形をしており、端子１１２０の前後方向の寸法の略３分の１を占めている。端子被係止部１１３０には、上方に突出する２つの凸部１１３１、１１３３と、前止まり部１１３５とを備えている。２つの凸部１１３１、１１３３は、それぞれその前端部が前側にいくほど上下方向の寸法が小さくなる傾斜状となっている。また、端子被係止部１１３０の凸部１１３１、１１３３は、一側方に寄っており、前側の凸部１１３１の側方には、前止まり部１１３５が設けられている。前止まり部１１３５は、端子被係止部１１３０の天井板よりも若干上方に突出しており、端子被係止部１１３０の前後方向の略半分程度の寸法を占めている。
【００６１】
端子保持部材１２００は、図３４及び図３５に示すように、上下方向（端子１１２０の延び方向に直交する方向）に２つに分割されており、アッパー端子保持部材１２１０（「第１の端子保持部材」の一例）とロアー端子保持部材１２５０（「第２の端子保持部材」の一例）とを組み合わせることで構成されており、全体として前後方向に長い箱形となっている。また、ロアー端子保持部材１２５０は、アッパー端子保持部材１２１０に対して、端子１１２０の延び方向に沿ってスライド移動可能なようになっている。
【００６２】
アッパー端子保持部材１２１０は、合成樹脂製であって、図３５及び図５０に示すように、端子１１２０の圧着部１１２３及び端子被係止部１１３０を保持する。アッパー端子保持部材１２１０は、天井壁部１２１１と、天井壁部１２１１から垂直に突出する一対の側壁部１２１３と、上側前壁部１２１５とを備えており、上方及び後方が開口している。上側前壁部１２１５は、後記する下側前壁部１２５３と一体になって、端子保持部材１２００の前壁を形成しており、端子１１２０の電気接続部１１２１を挿通可能な挿通孔を形成するために、上側前壁部１２１５には、上側挿通溝１２１６が設けられている。側壁部１２１３は、天井壁部１２１１の幅方向の端部よりも内側から下方に突出しており、天井壁部１２１１と側壁部１２１３との間は、Ｒ面１２１７になっている。また、側壁部１２１３の下端位置は、収容した端子１１２０の端子被係止部１１３０の下端位置と同じになっている。また、天井壁部１２１１の前端部から上側前壁部１２１５に亘って、前方が上下方向の寸法が小さくなる傾斜面１２１９となっている。
【００６３】
そして、図３５及び図３７に示すように、両側壁部１２１３の間には、端子１１２０の間を仕切る仕切壁１２２１が設けられている。仕切壁１２２１は、両側壁部１２１３の下端位置と同じ位置まで天井壁部１２１１から下方に突出している。そして、各側壁部１２１３と仕切壁１２２１と天井壁部１２１１とに囲まれた領域が、端子１１２０の圧着部１１２３及び端子被係止部１１３０を収容する収容凹部１２２３となっている。収容凹部１２２３は、下方に開口しており、電気接続部１１２１を突出させた状態で端子１１２０を下方から収容可能としている。また、各側壁部１２１３と仕切壁１２２１との間（収容凹部１２２３）の前端部分の内寸は、端子被係止部１１３０の外寸とほぼ同じになっている。各側壁部１２１３と仕切壁１２２１との間（収容凹部１２２３）の内寸は、後方に行くにつれて広がり、後半部分の内寸は圧着部１１２３の外寸とほぼ同じか若干大きくなっている。
【００６４】
また、収容凹部１２２３の上面は、図３７及び図５４に示すように、端子１１２０の上形状に沿った形状となっている。特に、端子被係止部１１３０が収容される部分の天井壁部１２１１の下面（収容凹部１２２３の前端部分の上面）には、端子被係止部１１３０が嵌る端子係止部１２３０が設けられている。
【００６５】
端子被係止部１１３０の前端部は、図３７及び図５４に示すように、端子１１２０のテーパー部１１２９及び前側の凸部１１３１の傾斜面を収容するテーパー面１２３１となっている。テーパー面１２３１は、上側挿通溝１２１６の下端位置から後方にいくほど、天井壁部１２１１の上下方向の寸法が小さくなるようになっている。テーパー面１２３１の前後方向の途中で、一側方に寄った位置には、図３７及び図３９に示すように、底面視矩形状で、底面が平坦となった前止まり壁部１２３２が設けられている。図３７及び図５４に示すように、テーパー面１２３１の後方で、前止まり壁部１２３２とは反対側の側方には、前側の凸部１１３１を収容する第１収容部１２３３が設けられている。また、前止まり壁部１２３２の後方から、第１収容部１２３３の側方に亘って、端子１１２０の前止まり部１１３５を収容する第２収容部１２３４となっている。そして、第１収容部１２３３と第２収容部１２３４の後方は、第１収容部１２３３及び第２収容部１２３４よりも下方に突出した第１突出部１２３５となっている。そして、第１突出部１２３５の第１収容部側に寄った位置には、端子１１２０の後側の凸部１１３３を収容する第３収容部１２３６となっている。第３収容部１２３６の前端部は、凸部１１３３の傾斜面にそった傾斜状になっている。そして、第１突出部１２３５と第３収容部１２３６との後方には第２突出部１２３７が設けられている。第２突出部１２３７は、第１突出部１２３５よりも下方に突出してテーパー面１２３１の下端位置と同じ位置まで突出している。
【００６６】
また、図３７及び図５４に示すように、収容凹部１２２３の内圧着部１１２３の収容される部分は、圧着部１１２３との間に隙間が設けられる程度で、圧着部１１２３の形状に合わせて窪んでいる。より具体的には、インシュレーションバレル１１２７の収容される部分のほうが、ワイヤバレル１１２５の収容される部分よりも窪むことで、端子１１２０の圧着部１１２３との間に一定の隙間が空くようになっている。
【００６７】
そして、図３５及び図３７に示すように、両側壁部１２１３から幅方向外側に突出するようにガイド部１２２５が設けられている。ガイド部１２２５は、アッパー端子保持部材１２１０の側壁部１２１３の前端から後端まで前後方向（端子１１２０の延び方向）に延びている。そして、ガイド部１２２５の下端位置は側壁部１２１３の下端位置と同じになっており、側壁部１２１３の下面からガイド部１２２５の側面に向かってＲ形状を描くようになっている。また、ガイド部１２２５の上面は、側壁部１２１３の側面と直交する面となっている。
【００６８】
また、図３４及び図３５に示すように、各側壁部１２１３の前後方向の途中位置に、係止板部１２２７（「本係止部」及び「仮係止部」の一部）が設けられている。係止板部１２２７は、側壁部１２１３より若干板厚が薄くなっており、側面視矩形状となっている。係止板部１２２７は、下方に突出しており、ロアー端子保持部材１２５０と組み合わせた際に、ロアー端子保持部材１２５０の下端位置の若干上方に至る程度に突出している。
【００６９】
そして、図３５及び図３６に示すように、天井壁部１２１１の前後方向の中央位置の上面には、上面よりも下方に向かって凹んだ係合凹部１２４１（「第１係合部」の一例）が設けられている。係合凹部１２４１は平面視矩形状であって、アッパー外導体シェル１３０３の係合用叩き出し部１３６１（図６６参照）に係合する。また、天井壁部１２１１の側面には、ロアー外導体シェル１３０１の切り欠き部１３２５に係合する係合部１２４３（「第１係合部」の一例）が設けられている。係合部１２４３は、天井壁部１２１１の各側面に設けられており、天井壁部１２１１の前後方向の中央より前方寄りに設けられており、ロアー外導体シェル１３０１の板厚分幅方向外側に突出している。また、係合部１２４３の前後には、球体を４分の１にした形状の係合凸部１２４５（「第１係合部」の一例）が各側面に一対ずつ、合計４つ設けられている。係合凸部１２４５の幅方向の突出寸法は、係合部１２４３の幅方向の突出寸法より小さい。また、各側壁部１２１３の後端部には、係合爪部１２４７が設けられている。係合爪部１２４７は、各ガイド部１２２５に亘って設けられており、上側にいくほど幅方向外側に突出する爪状になっている。
【００７０】
ロアー端子保持部材１２５０は、合成樹脂製であって、図３４及び図３９に示すように、アッパー端子保持部材１２１０とともに、端子１１２０の圧着部１１２３及び端子被係止部１１３０を収容する。ロアー端子保持部材１２５０は、底壁部１２５１と、下側前壁部１２５３と、レール壁部１２５５とを備えている。底壁部１２５１は、全体として上面が平坦な平板状となっている。下側前壁部１２５３は、上側挿通溝１２１６とともに端子１１２０の電気接続部１１２１を挿通可能な挿通孔を形成する下側挿通溝１２５７が設けられている。
【００７１】
ロアー端子保持部材１２５０のレール壁部１２５５は、図３４及び図４０に示すように、アッパー端子保持部材１２１０の側壁部１２１３の幅方向外側から被さるようになっている。レール壁部１２５５は、後記するバネ部１３１３と干渉しないように下側前壁部１２５３との間に前後方向に若干隙間を設けた位置と、係合爪部１２４７と組み合わさる位置の前方位置から、上方に突出する一対の腕部１２６１と、ガイド部１２２５と勘合して摺動するレール部１２６３とからなる。レール部１２６３は、内側に向かって爪状に突出しており、両腕部１２６１との間を前後方向（端子１１２０の延び方向）に延びている。そして、レール部１２６３の上端から内側の爪状に向かってＲ形状を描くようになっている。また、レール部１２６３の下面は、ガイド部１２２５の上面と摺動する面となっている。また、底壁部１２５１の腕部１２６１の内側の位置には、Ｒ面を有する溝部１２６５が設けられている。溝部１２６５は、前後方向に伸びており、下側前壁部１２５３の後端位置から底壁部１２５１の後端位置に亘って設けられることで、腕部１２６１が幅方向外側に撓み変形しやすくなっている。
【００７２】
底壁部１２５１の前端位置の下面には、図３５及び図５９に示すように、後記するロアー外導体シェル１３０１のバネ部１３１３を逃がすための逃げ溝１２５９が設けられている。逃げ溝１２５９は、底面視矩形状をしており、底壁部１２５１の前端位置から設けられており、底壁部１２５１の下面が上側に凹むことで設けられている。
【００７３】
底壁部１２５１には、図３９及び図４０に示すように、係止板部１２２７が嵌まる貫通レール部１２７０が一対設けられている。貫通レール部１２７０は、底壁部１２５１を板厚方向に貫通しており、一対の腕部１２６１の間を前後方向に伸びている。そして、貫通レール部１２７０の幅方向の寸法は、係止板部１２２７の幅方向の寸法と同じか若干大きくなっている。
【００７４】
そして、貫通レール部１２７０には、仮係止凸部１２７１（「仮係止部」の一例）と、本係止凸部１２７３（「本係止部」の一例）が設けられている。仮係止凸部１２７１は、貫通レール部１２７０の後端位置から係止板部１２２７の前後方向の寸法分間をあけたところに設けられており、底壁部１２５１と同じ板厚（上下方向の寸法）となっている。仮係止凸部１２７１は、貫通レール部１２７０の内側に向かって貫通レール部１２７０の側面から突出して、貫通レール部１２７０の幅が狭くなることで、係止板部１２２７が前後方向に移動するのを抑制する。そして、仮係止凸部１２７１の前後の面は、傾斜面となることで、係止板部１２２７が仮係止凸部１２７１の設けられたところを通り抜けやすくなっている。
【００７５】
一方、本係止凸部１２７３は、貫通レール部１２７０の前端位置から係止板部１２２７の前後方向の寸法分間をあけたところに設けられており、底壁部１２５１と同じ板厚（上下方向の寸法）となっている。本係止凸部１２７３は、貫通レール部１２７０の内側に向かって貫通レール部１２７０の側面から突出して、貫通レール部１２７０の幅が狭くなることで、係止板部１２２７が前後方向に移動するのを抑制する。そして、本係止凸部１２７３の後側の面は、傾斜面となる一方、前側の面は、貫通レール部１２７０の内側面と直交することで、一度通過した係止板部１２２７が後方に戻るのを抑制するようになっている。
【００７６】
貫通レール部１２７０の後端位置には、係止板部１２２７を貫通レール部１２７０に嵌める際にガイドするためのガイド溝１２７５が設けられている。ガイド溝１２７５は、幅方向内側から外側に向かって徐々に下側に傾斜することで、係止板部１２２７を貫通レール部１２７０に嵌めやすくしている。
【００７７】
外導体シェル１３００は、図６６及び図６７に示すように、上下方向（端子１１２０の延び方向に直交する方向）に２つに分割されており、ロアー外導体シェル１３０１（「一方の外導体シェル」の一例）とアッパー外導体シェル１３０３（「他方の外導体シェル」の一例）を組み合わせることで構成されている。また、外導体シェル１３００は、端子保持部材１２００を収容する角筒状の本体部１３０５と、シールド電線１１１０のシールド層１１１７と接続されるバレル部１３０７を備えている。
【００７８】
ロアー外導体シェル１３０１は、導電性板材をプレス成形することで形成されている。そして、ロアー外導体シェル１３０１は、図６６に示すように、本体部１３０５の一部を構成する角筒状のロアー本体部１３１０と、バレル部１３０７の一部を構成するロアーバレル部１３４０とを備えている。
【００７９】
ロアー本体部１３１０は、図４１及び図５５に示すように、前後方向に開口した略角筒状をしており、ロアー本体部１３１０の前端部１３１１は四面が囲われている。前端部１３１１の各面には、相手側のシェルと接触するためのバネ部１３１３が設けられている。一方、ロアー本体部１３１０の後端部１３１５には、上方へ全て開口した本体側開口部１３１７が設けられており、後端部１３１５は、断面視コの字状になっている。また、ロアー本体部１３１０の前端部１３１１は、端子１１２０の電気接続部１１２１が収容可能となっており、後端部１３１５には、端子保持部材１２００が収容可能となっている。ロアー本体部１３１０の後端部１３１５の前後方向の寸法は、端子保持部材１２００の前後方向の寸法とほぼ同じとなっている。
【００８０】
そして、図５５及び図６３に示すように、ロアー本体部１３１０の後端部１３１５の両側面には、内側に向かって叩き出された係止片１３２１が設けられている。係止片１３２１は、ロアー端子保持部材１２５０の底壁部１２５１とレール部１２６３との間に入り込むようになっており、ロアー端子保持部材１２５０が上下方向に移動するのを抑制する。また、係止片１３２１の周縁部には、板厚方向に貫通した切り起こし孔１３２３が設けられている。
【００８１】
また、ロアー本体部１３１０の後端部１３１５には、図５５及び図６１に示すように、その両側面の上縁から下方に矩形状に切欠かれた切り欠き部１３２５が設けられている。切り欠き部１３２５に、アッパー端子保持部材１２１０の係合部１２４３が係合することで、アッパー端子保持部材１２１０が前後方向に移動するのを抑制する。また、図５５及び図６４に示すように、後端部１３１５の両側面の切り欠き部１３２５の前後には、係合凸部１２４５が係合する小孔１３２７が一対設けられている。小孔１３２７に係合凸部１２４５が係合することで、アッパー端子保持部材１２１０が上下方向に移動するのを抑制する。そして、図５５及び図６５に示すように、後端部１３１５の両側面には、係合爪部１２４７が係合する係合孔１３２９が設けられている。係合孔１３２９に係合爪部１２４７が係合することで、アッパー端子保持部材１２１０が前後及び上下方向に移動するのを抑制する。そして、後端部１３１５の両側面には、半円形の半円孔１３３１が板厚方向に貫通して設けられている。
【００８２】
ロアーバレル部１３４０は、図４１及び図５５に示すように、ロアー本体部１３１０から連設された底板部１３４１と、底板部１３４１から上方に立ち上がるバレル片１３４３とを備えている。また、ロアーバレル部１３４０の底板部１３４１は、断面視円弧状となっている。また、ロアーバレル部１３４０は、上方に開口しており、ロアー本体部１３１０の本体側開口部１３１７とあわせて、端子保持部材１２００を挿入可能なロアー外導体シェル１３０１の開口部１３０９となっている。
【００８３】
アッパー外導体シェル１３０３は、導電性板材をプレス成形することで形成されている。そして、アッパー外導体シェル１３０３は、図４３及び図６６に示すように、本体部１３０５の一部を構成するアッパー本体部１３５０と、バレル部１３０７の一部を構成するアッパーバレル部１３８０とを備えている。また、アッパー外導体シェル１３０３は、ロアー外導体シェル１３０１の開口部１３０９を上方から覆っている。
【００８４】
アッパー本体部１３５０は、ロアー本体部１３１０の底板と平行な天板１３５１と、天板１３５１の側端から略Ｌ字状に折り曲げられた一対の側面板１３５３とによって形成されており、前後方向に開口した断面視コの字状となっている。そして、アッパー本体部１３５０の天板１３５１は、ロアー本体部１３１０の本体側開口部１３１７を覆っており、アッパー本体部１３５０の両側面板１３５３の内面は、ロアー本体部１３１０の後端部１３１５の両側面の外面と接触する。つまり、アッパー本体部１３５０の両側面板１３５３は、ロアー本体部１３１０の後端部１３１５の外側を覆うようにして重なっている。また、天板１３５１の前端から前方下側に向かって叩き出し片１３５５が伸びている。叩き出し片１３５５は、ロアー本体部１３１０の前端部１３１１の天板の下側に入り込むことで、隙間なく本体側開口部１３１７を覆うことができる。そして、アッパー本体部１３５０がロアー本体部１３１０に重なると、前後方向に開口した角筒状の本体部１３０５となっている。また、アッパー本体部１３５０の叩き出し片１３５５を除いた前後方向の寸法は、端子保持部材１２００の前後方向の寸法と同じとなっている。
【００８５】
アッパー本体部１３５０の天板１３５１には、図６６及び図７３に示すように、下側に叩き出された係合用叩き出し部１３６１が設けられている。係合用叩き出し部１３６１が、アッパー端子保持部材１２１０の係合凹部１２４１に収容されて、係合用叩き出し部１３６１の前端が係合凹部１２４１の端面に係合することで、アッパー端子保持部材１２１０がアッパー外導体シェル１３０３に対して前後方向に移動するのを抑制する。アッパー本体部１３５０の両側面には、図６６に示すように、球体を４分の１にした形状に内側に叩き出された叩き出し凸部１３６３がそれぞれ一対設けられている。図６６及び図６９に示すように、前側の叩き出し凸部１３６３がロアー外導体シェル１３０１の半円孔１３３１の上孔縁に係止し、図６６及び図７０に示すように、後側の叩き出し凸部１３６３が切り起こし孔１３２３の上孔縁に係止することで、アッパー外導体シェル１３０３がロアー外導体シェル１３０１に係止される。
【００８６】
また、アッパー本体部１３５０の天板１３５１の前端部には、図６６及び図７３に示すように、上方に突出したランス係止部１３６５が設けられている。ランス係止部１３６５は、後記するコネクタハウジング１４００のランス１４１３が係止することで、コネクタハウジング１４００内で外導体シェル１３００を固定可能となっている。図６６及び図７４に示すように、アッパー本体部１３５０の両側面板１３５３には、外側に叩き出された叩き出し部１３６７が設けられている。叩き出し部１３６７は、その面状になった前端縁がコネクタハウジング１４００内の当接面１４１７に当たることで、外導体シェル１３００の前止まりとなっている。
【００８７】
アッパーバレル部１３８０は、図４３及び図６６に示すように、アッパー本体部１３５０から連設された上板部１３８１と、上板部１３８１から下方外側に延びるバレル片１３８３とを備えている。また、アッパーバレル部１３８０の上板部１３８１は、断面円弧状となっている。そして、アッパーバレル部１３８０がロアーバレル部１３４０に覆いかぶさると、円筒形状になる。また、各バレル片１３４３、１３８３がそれぞれかしめ付けられることで、バレル部１３０７がシールド電線１１１０のシールド層１１１７と接続される。
【００８８】
コネクタハウジング１４００は、合成樹脂製であって、図７１及び図７２に示すように、前後方向に開口した角筒状となっている。コネクタハウジング１４００は、コネクタサブアッシーＳ２を収容するコネクタ本体部１４１０と、相手側コネクタを外嵌するフード部１４３０とを備えている。フード部１４３０には、図７３及び図７４に示すように、ロアー外導体シェル１３０１の前端部１３１１が配されている。
【００８９】
コネクタ本体部１４１０には、図４７及び図７４に示すように、コネクタサブアッシーＳ２を収容するキャビティ１４１１が前後方向に貫通するようにして設けられている。キャビティ１４１１は、フード部１４３０と連通しており、コネクタサブアッシーＳ２の外形形状に沿う形状となっている。キャビティ１４１１の上壁には、ランス１４１３が上下方向に弾性変形可能に設けられている。また、キャビティ１４１１の側壁には、アッパー外導体シェル１３０３の叩き出し部１３６７を挿通可能な背面視半円形の挿通溝部１４１５が後端の挿入用開口部１４１９から前方に伸びている。そして、挿通溝部１４１５の前端部が、叩き出し部１３６７が当接する当接面１４１７となっている。なお、キャビティ１４１１の後端の開口は、コネクタサブアッシーＳ２を後方から前方に（端子１１２０の伸び方向に）挿入可能な挿入用開口部１４１９となっている。
【００９０】
次に、コネクタＣ２の組み立て手順の一例について説明する。
まず、図３４及び図３５に示すように、シールド電線１１１０の絶縁被覆１１１９を皮剥ぎして、信号線１１１１の端末を露出させて、シールド層１１１７を絶縁被覆の外周に折り返して被せる。そして、信号線１１１１を端子１１２０に接続する。具体的には、信号線１１１１の内部導体１１１３を圧着部１１２３のワイヤバレル１１２５に圧着するとともに、信号線１１１１の内部絶縁被覆１１１５に圧着部１１２３のインシュレーションバレル１１２７をかしめつける。
【００９１】
次に、図３５に示すように、シールド電線１１１０の信号線１１１１に接続された端子１１２０をアッパー端子保持部材１２１０に収容する。各端子１１２０が各収容凹部１２２３に収容されるように、アッパー端子保持部材１２１０の下方から端子１１２０を収容する。このように、下方に開口した収容凹部１２２３に端子１１２０を収容する場合には、１つの端子１１２０を対応する一方の収容凹部１２２３に収容する際に、他の端子１１２０を一方の収容凹部１２２３の外側に退避させるだけなので、端子１１２０の延び方向から端子１１２０を収容する場合に比べて、シールド層１１１７を剥がす寸法が小さくても良くなる。そのため、ノイズの影響を受けにくくなる。
【００９２】
そして、端子１１２０がアッパー端子保持部材１２１０の所定位置に配されると、図４９及び図５０に示すように、端子被係止部１１３０が端子係止部１２３０に係止されることで、端子１１２０がアッパー端子保持部材１２１０に対して移動しない状態で保持される。具体的には、端子１１２０のテーパー部１１２９が端子係止部１２３０のテーパー面１２３１に配されて、端子被係止部１１３０の前側の凸部１１３１が第１収容部１２３３に収容され、前側の凸部１１３１の後端が第１突出部１２３５に係止される。同時に、後側の凸部１１３３が第３収容部１２３６に収容されて、後側の凸部１１３３の後端及び端子被係止部１１３０の後端が第２突出部１２３７に係止される。また、端子１１２０の前止まり部１１３５の前端がアッパー端子保持部材１２１０の前止まり壁部１２３２に当接する。そして、前止まり部１１３５が第２収容部１１３４に収容される。なお、この際に、端子１１２０の電気接続部１１２１は、アッパー端子保持部材１２１０の前端から突出した状態で保持される。
【００９３】
そして、図５０に示すように、端子１１２０が収容されたアッパー端子保持部材１２１０をロアー端子保持部材１２５０と組み合わせる。具体的には、アッパー端子保持部材１２１０の下方からロアー端子保持部材１２５０を嵌める。アッパー端子保持部材１２１０のガイド部１２２５を内側に変形させながら、レール部１２６３を外側に変形させることで、互いを乗り越えてガイド部１２２５とレール部１２６３とが摺動移動可能な状態にする。そして、図５３に示すように、アッパー端子保持部材１２１０のＲ面１２１７とレール部１２６３の上側のＲ形状が沿う状態になっており、レール部１２６３の下端面とガイド部１２２５の上面とが摺動するように嵌まり合うことで、アッパー端子保持部材１２１０とロアー端子保持部材１２５０とは上下方向に相対移動できず、前後方向には相対移動可能となっている。
【００９４】
また、図５２及び図５３に示すように、係止板部１２２７は、ロアー端子保持部材１２５０のガイド溝１２７５にガイドされて、貫通レール部１２７０の後端部に嵌まって、仮係止凸部１２７１に係止される。そして、係止板部１２２７が仮係止凸部１２７１に係止されている端子先端保護位置では、図５４に示すように、アッパー端子保持部材１２１０から突出する端子１１２０の先端部である電気接続部１１２１が、ロアー端子保持部材１２５０によって覆われた状態で保持されている。また、電気接続部１１２１の先端部が下側前壁部１２５３の下側挿通溝１２５７内に配されている。一方、端子１１２０の圧着部１１２３は、ロアー端子保持部材１２５０によって覆われておらず、露出した状態となっている。
【００９５】
次に、図５５から図５７に示すように、端子保持部材１２００をロアー外導体シェル１３０１に収容する。端子保持部材１２００の前端が下方になる斜めの姿勢で、端子保持部材１２００を上方からロアー外導体シェル１３０１の開口部１３０９に挿入する。そして、斜めの姿勢で端子１１２０の電気接続部１１２１がロアー外導体シェル１３０１の前端部１３１１に配されるように、端子保持部材１２００を収容する。この際に、ロアー外導体シェル１３０１の開口部１３０９は、端子先端保護位置での端子保持部材１２００よりも大きくなっていることから、簡単に端子保持部材１２００をロアー外導体シェル１３０１内に収容することができる。そして、アッパー端子保持部材１２１０には傾斜面１２１９が設けられていることから、アッパー端子保持部材１２１０が前端部１３１１の後端縁に引っかかる虞がない。また、端子１１２０の先端部である電気接続部１１２１が、ロアー端子保持部材１２５０によって覆われていることから、斜めの姿勢であっても電気接続部１１２１がロアー外導体シェル１３０１等に接触して変形することを抑制できる。
【００９６】
そして、図５８から図６５に示すように、ロアー外導体シェル１３０１内に端子保持部材１２００が収容された状態では、切り欠き部１３２５に、アッパー端子保持部材１２１０の係合部１２４３が係合することで、アッパー端子保持部材１２１０が前後方向に移動するのを抑制する。また、小孔１３２７に係合凸部１２４５が係合することで、アッパー端子保持部材１２１０が上下方向に移動するのを抑制する。そして、係合孔１３２９に係合爪部１２４７が係合することで、アッパー端子保持部材１２１０が前後及び上下方向に移動するのを抑制する。なお、ロアー端子保持部材１２５０には逃げ溝１２５９が設けられていることから、前端部１３１１のバネ部１３１３が接触する虞がない。
【００９７】
そして、図６６に示すように、ロアー外導体シェル１３０１のロアーバレル部１３４０のバレル片１３４３をシールド電線１１１０のシールド層１１１７にかしめた後に、ロアー外導体シェル１３０１の開口部１３０９を覆うようにアッパー外導体シェル１３０３を上方から組み付ける。アッパー本体部１３５０の叩き出し片１３５５がロアー本体部１３１０の前端部１３１１の下側に入り込むようにし、かつアッパー本体部１３５０の側面板１３５３がロアー本体部１３１０の側面の外側を覆うようにして、アッパー外導体シェル１３０３を組み付ける。なお、アッパー端子保持部材１２１０には、その前端部に傾斜面１２１９が設けられていることから、叩き出し片１３５５が入り込む際にアッパー端子保持部材１２１０と干渉する虞がない。
【００９８】
そして、図６６から図７０及び図７３に示すように、係合用叩き出し部１３６１が、アッパー端子保持部材１２１０の係合凹部１２４１に収容されて、係合用叩き出し部１３６１の前端が係合凹部１２４１の端面に係合することで、アッパー端子保持部材１２１０がアッパー外導体シェル１３０３に対して前後方向に移動するのを抑制する。このように、アッパー端子保持部材１２１０は、アッパー外導体シェル１３０３及びロアー外導体シェル１３０１に対して係止されて、外導体シェル１３００に対して相対移動することが抑制されている。また、アッパー本体部１３５０の前側の叩き出し凸部１３６３がロアー外導体シェル１３０１の半円孔１３３１の上孔縁に係止し、後側の叩き出し凸部１３６３が切り起こし孔１３２３の上孔縁に係止することで、アッパー外導体シェル１３０３がロアー外導体シェル１３０１に係止される。
【００９９】
一方で、アッパーバレル部１３８０もロアーバレル部１３４０の上にかぶせられることで、円筒状のバレル部１３０７がシールド層１１１７を覆う。そして、図６７に示すように、アッパーバレル部１３８０のバレル片１３８３をかしめ付けることで、アッパーバレル部１３８０もロアーバレル部１３４０を一部介してシールド層１１１７に接続される。そして、アッパーバレル部１３８０とロアーバレル部１３４０も固定される。
【０１００】
また、ロアー外導体シェル１３０１の開口部１３０９をアッパー外導体シェル１３０３で覆うことができ、アッパー外導体シェル１３０３には殆ど貫通孔や開口部が設けられていないため、端子保持部材１２００を上方から挿入可能な開口部１３０９を設けていても、アッパー外導体シェル１３０３とロアー外導体シェル１３０１とで全体を覆うことにより、周波数特性が悪化することを抑制できる。
【０１０１】
そして、図７１から図７３に示すように、コネクタハウジング１４００内に組み立てられたコネクタサブアッシーＳ２を組み付ける。キャビティ１４１１の後端の挿入用開口部１４１９からコネクタサブアッシーＳ２を挿入して、前方に押し込む。この際に、叩き出し部１３６７が挿通溝部１４１５を挿通することで、コネクタサブアッシーＳ２がコネクタハウジング１４００内で傾くのが規制される。そして、叩き出し部１３６７が当接面１４１７に当接して、前方への挿入が停止すると、コネクタハウジング１４００のランス１４１３がランス係止部１３６５に係止して、コネクタサブアッシーＳ２がコネクタハウジング１４００に係止される。
【０１０２】
そして、図７５及び図７６に示すように、ロアー端子保持部材１２５０を後方に押し込む。治具１５００をコネクタハウジング１４００のフード部１４３０の前方から嵌める。治具１５００には、端子１１２０の先端部を保護する一対の端子保護部１５１０と、平板状の押し込み部１５３０と、フード部１４３０を外嵌可能な治具フード部１５４０とを備えている。そして、フード部１４３０を治具フード部１５４０内に嵌合して、端子１１２０の先端が端子保護部１５１０に突き当たった状態で、押し込み部１５３０を後方に押し込む。すると、押し込み部１５３０がロアー端子保持部材１２５０の前端面に当たり、アッパー端子保持部材１２１０のガイド部１２２５とロアー端子保持部材１２５０のレール部１２６３とが互いに摺動しながら、ロアー端子保持部材１２５０は後方に押し込まれる。
【０１０３】
ロアー端子保持部材１２５０が後方に押し込まれる際には、図７８に示すように、アッパー端子保持部材１２１０の係止板部１２２７はロアー端子保持部材１２５０の貫通レール部１２７０の仮係止凸部１２７１を乗り越えて相対的に前方に移動する。そして、さらにロアー端子保持部材１２５０が後方に押し込まれると、本係止凸部１２７３を乗り越える。そして、係止板部１２２７が貫通レール部１２７０の前端位置に当接して停止すると、ロアー端子保持部材１２５０もそれ以上後方に移動できなくなり、押し込みが停止される。
【０１０４】
ロアー端子保持部材１２５０がアッパー端子保持部材１２１０と完全に重なり、正規位置に至ると、図７７に示すように、電気接続部１１２１が端子保持部材１２００から突出した状態で、ロアー本体部１３１０の前端部１３１１内に収容される。一方、端子被係止部１１３０と圧着部１１２３はロアー端子保持部材１２５０とアッパー端子保持部材１２１０との間に挟まれて収容される。また、ロアー端子保持部材１２５０は、ロアー本体部１３１０の後端部１３１５内に配される。この際に、係止板部１２２７は、貫通レール部１２７０の前端位置に配されて、相対的に後方に戻らない状態で本係止凸部１２７３に係止されることで、ロアー端子保持部材１２５０はアッパー端子保持部材１２１０に対して固定される。
【０１０５】
なお、ロアー端子保持部材１２５０がアッパー端子保持部材１２１０に対して前方に移動する際には、アッパー端子保持部材１２１０の端子係止部１２３０に対して端子１１２０の端子被係止部１１３０が嵌り合っていることから、ロアー端子保持部材１２５０が移動する際に端子１１２０がずれ動くことが抑制される。また、アッパー端子保持部材１２１０が複数個所で外導体シェル１３００に係合しており、外導体シェル１３００がコネクタハウジング１４００のランス１４１３によって係止されている。そのため、ロアー端子保持部材１２５０が移動しても、アッパー端子保持部材１２１０や外導体シェル１３００が移動することを防止できる。そのため、ロアー端子保持部材１２５０を治具１５００によって押し込んだ際にアッパー端子保持部材１２１０に対して移動させやすくなっている。
【０１０６】
また、本実施形態において、ロアー端子保持部材１２５０を移動させるタイミングとして、コネクタサブアッシーＳ２が組み付けられて、コネクタハウジング１４００に挿入する前のタイミングであっても良い。その場合の手順について図８０から図８２を用いて説明する。
【０１０７】
治具１５５０をロアー外導体シェル１３０１の前方から嵌める。治具１５５０には、押し込み部１５６０と、ロアー外導体シェル１３０１の前端部１３１１を外嵌可能な治具フード部１５７０とを備えている。そして、ロアー外導体シェル１３０１の前端部１３１１が治具フード部１５７０内に嵌合した状態で、押し込み部１５６０を後方に押し込む。すると、押し込み部１５６０がロアー端子保持部材１２５０の前端面に当たり、アッパー端子保持部材１２１０のガイド部１２２５とロアー端子保持部材１２５０のレール部１２６３とが互いに摺動しながら、ロアー端子保持部材１２５０は後方に押し込まれる。
【０１０８】
ロアー端子保持部材１２５０が後方に押し込まれると、アッパー端子保持部材１２１０の係止板部１２２７はロアー端子保持部材１２５０の貫通レール部１２７０の仮係止凸部１２７１を乗り越えて相対的に前方に移動する。そして、さらにロアー端子保持部材１２５０が後方に押し込まれると、本係止凸部１２７３を乗り越える。そして、係止板部１２２７が貫通レール部１２７０の前端位置に当接して停止すると、ロアー端子保持部材１２５０もそれ以上後方に移動できなくなり、押し込みが停止される。
【０１０９】
ロアー端子保持部材１２５０がアッパー端子保持部材１２１０と完全に重なり、正規位置に至ると、電気接続部１１２１が端子保持部材１２００から突出した状態で、ロアー本体部１３１０の前端部１３１１内に収容される。一方、端子被係止部１１３０と圧着部１１２３はロアー端子保持部材１２５０とアッパー端子保持部材１２１０との間に挟まれて収容される。また、ロアー端子保持部材１２５０は、ロアー本体部１３１０の後端部１３１５内に配される。この際に、係止板部１２２７は、貫通レール部１２７０の前端位置に配されて、相対的に後方に戻らない状態で本係止凸部１２７３に係止されることで、ロアー端子保持部材１２５０はアッパー端子保持部材１２１０に対して固定される。このようにして、電気接続部１１２１が前端部１３１１内に露出した状態で収容された後に、コネクタサブアッシーＳ２をコネクタハウジング１４００内に収容することで、コネクタＣ２を組み立てても良い。
【０１１０】
以上のように、本実施形態２のコネクタＣ２及び端子モジュールＭ２によれば、端子１１２０を収容可能な端子保持部材１２００は、アッパー端子保持部材１２１０とロアー端子保持部材１２５０とに分割されている。そして、ロアー端子保持部材１２５０によってアッパー端子保持部材１２１０から突出する端子１１２０の電気接続部１１２１が覆われており、ロアー端子保持部材１２５０が信号線１１１１の端末側に相対移動することで、ロアー端子保持部材１２５０の先方に端子１１２０の電気接続部１１２１が突出して露出した状態とされる。つまり、端子１１２０の電気接続部１１２１がロアー端子保持部材１２５０に覆われて保護された状態で、ロアー外導体シェル１３０１内に収容することができるので、ロアー外導体シェル１３０１に収容する際等の端子１１２０の変形を抑制することができる。
【０１１１】
また、係止板部１２２７が仮係止凸部１２７１に係止することによって、アッパー端子保持部材１２１０とロアー端子保持部材１２５０とが端子１１２０の電気接続部１１２１がロアー端子保持部材１２５０によって覆われた状態（端子先端保護位置）に係止されていることから、ロアー外導体シェル１３０１への収容中などに、アッパー端子保持部材１２１０とロアー端子保持部材１２５０とが不用意に相対移動して、端子１１２０の電気接続部１１２１が露出する虞がない。また、係止板部１２２７が本係止凸部１２７３に係止することによって、アッパー端子保持部材１２１０とロアー端子保持部材１２５０とが端子１１２０の電気接続部１１２１が露出した状態（正規位置）に係止されていることから、不用意にアッパー端子保持部材１２１０とロアー端子保持部材１２５０とが相対移動して、端子１１２０の電気接続部１１２１が覆われた状態に戻ることがない。
【０１１２】
＜実施形態３＞
実施形態３について図８３から図１１３を参照して説明する。
実施形態３のコネクタＣ３では、外導体シェルを用いていておらず、端子モジュールＭ３が直接コネクタハウジング１４００に収容されている点が実施形態２とは相違する。なお、端子１１２０については、実施形態２と同一のため説明を省略する。また、コネクタハウジング１４００についても、実施形態２と同様のものを用いている。そして、実施形態２と同一機能を有する部材、部位については、同一の符号を付すことで、説明を省略しまたは簡略化する。なお、上下前後方向については、実施形態２と同じ方向とする。
【０１１３】
本実施形態の端子モジュールＭ３及びコネクタＣ３は、信号線を多数本有するシールド電線に用いられるものである。本実施形態の端子モジュールＭ３は、図８３に示すように、電線２１１０の信号線２１１１に接続された端子１１２０と、電線２１１０に組み付けられたブラケット２１５０と、この端子１１２０を保持する端子保持部材２２００とを備えている。そして、本実施形態のコネクタＣ３は、図１０３及び図１０５に示すように、端子モジュールＭ３と、コネクタハウジング１４００とを備えている。
【０１１４】
電線２１１０は、図８３及び図９５に示すように、複数本（本実施形態では２本）の信号線２１１１をツイストして、その周りを外部被覆２１１９で覆うことで構成されている。信号線２１１１は、内部導体２１１３が内部絶縁被覆２１１５によって覆われることで形成されており、内部導体２１１３の芯径が細いものとされている。内部導体２１１３がワイヤバレル１１２５にかしめつけられ、内部絶縁被覆２１１５がインシュレーションバレル１１２７にかしめつけられている。電線２１１０の端末では、端子１１２０との接続のために、外部被覆２１１９が剥ぎ取られ、信号線２１１１を露出させる。また、信号線２１１１が露出された部分では、ツイストがほどかれている。
【０１１５】
ブラケット２１５０は、電線２１１０に挿通されて、信号線２１１１を露出させた外部被覆２１１９の端部に組み付けられる。ブラケット２１５０は、正面視扁平な菱形となっており、上下方向の寸法が幅方向の寸法より小さくなっている。ブラケット２１５０の幅方向の端部は、板厚を２枚重ねた平坦部２１５１となっている一方、ブラケット２１５０の上下方向の端部はＲ形状になった湾曲部２１５３となっている。そして、２本の信号線２１１１を挿通可能となっている。
【０１１６】
端子保持部材２２００は、図８３に示すように、上下方向（端子１１２０の延び方向に直交する方向）に２つに分割されており、アッパー端子保持部材２２１０（「第１の端子保持部材」の一例）とロアー端子保持部材２２５０（「第２の端子保持部材」の一例）とを組み合わせることで構成されており、全体として前後方向に長い箱形となっている。また、ロアー端子保持部材２２５０は、アッパー端子保持部材２２１０に対して、端子１１２０の延び方向に沿ってスライド移動可能なようになっている。
【０１１７】
アッパー端子保持部材２２１０は、合成樹脂製であって、図８３に示すように、端子１１２０の圧着部１１２３及び端子被係止部１１３０とブラケット２１５０とを保持する。アッパー端子保持部材２２１０は、天井壁部２２１１と、天井壁部２２１１から垂直に突出する一対の側壁部２２１３と、上側前壁部２２１５と、上側ブラケット保持部２２４０を備えており、下方及び後方が開口している。天井壁部２２１１の幅方向の寸法は、実施形態２における外導体シェル１３００の幅方向の寸法と同じで、コネクタハウジング１４００のキャビティ１４１１の内寸と同じか若干小さくなっている。上側前壁部２２１５は、後記する下側前壁部２２５３と一体になって、端子保持部材２２００の前壁を形成しており、端子１１２０の電気接続部１１２１を挿通可能な挿通孔を形成するために、上側前壁部２２１５には、上側挿通溝２２１６が設けられている。側壁部２２１３は、天井壁部２２１１の幅方向の端部よりも内側から下方に突出しており、天井壁部２２１１と側壁部２２１３との間は、Ｒ面２２１７になっている。また、側壁部２２１３の下端位置は、収容した端子１１２０の端子被係止部１１３０の下端位置と同じになっている。
【０１１８】
そして、図８３及び図８５に示すように、両側壁部２２１３の間には、端子１１２０の間を仕切る仕切り壁２２２１が設けられている。仕切り壁２２２１は、両側壁部２２１３の下端位置と同じ位置まで天井壁部２２１１から下方に突出している。なお、仕切り壁２２２１の前後方向の寸法は、両側壁部２２１３の前後方向の寸法よりも短くなっており、その後端位置が異なっている。そして、各側壁部２２１３と仕切り壁２２２１と天井壁部２２１１とに囲まれた領域が、端子１１２０の圧着部１１２３及び端子被係止部１１３０を収容する収容凹部２２２３となっている。収容凹部２２２３は、下方に開口しており、電気接続部１１２１を突出させた状態で端子１１２０を下方から収容可能としている。また、各側壁部２２１３と仕切り壁２２２１との間（収容凹部２２２３）の前端部分の内寸は、端子被係止部１１３０の外寸とほぼ同じになっている。各側壁部２２１３と仕切り壁２２２１との間（収容凹部２２２３）の内寸は、後方に行くにつれて広がり、後半部分の内寸は圧着部１１２３の外寸とほぼ同じか若干大きくなっている。
【０１１９】
また、収容凹部２２２３の下面は、図８３及び図８５に示すように、端子１１２０の上形状に沿った形状となっている。特に、端子被係止部１１３０が収容される部分の天井壁部２２１１の下面（収容凹部２２２３の前端部分の下面）には、端子被係止部１１３０が嵌る端子係止部１２３０が設けられている。端子係止部１２３０の形状については、実施形態２と同様のためその説明を省略する。
【０１２０】
また、図８３及び図１０５に示すように、収容凹部２２２３の内圧着部１１２３の収容される部分は、圧着部１１２３との間に隙間が設けられる程度で、圧着部１１２３の形状に合わせて窪んでいる。より具体的には、インシュレーションバレル１１２７の収容される部分のほうが、ワイヤバレル１１２５の収容される部分よりも窪むことで、端子１１２０の圧着部１１２３との間に一定の隙間が空くようになっている。
【０１２１】
そして、図８５及び図８６に示すように、上側前壁部２２１５の側面及び両側壁部２２１３の下端部から幅方向外側に突出するようにガイド部２２２５が設けられている。ガイド部２２２５は、アッパー端子保持部材１２１０の上側前壁部２２１５の前端から側壁部２２１３の後端まで前後方向（端子２２１０の延び方向）に延びている。そして、ガイド部２２２５の下端位置は側壁部２２１３の下端位置と同じになっており、側壁部２２１３の下面からガイド部２２２５の側面に向かってＲ形状を描くようになっている。また、ガイド部２２２５の上面は、側壁部２２１３の側面と直交する面となっている。
【０１２２】
また、図８３及び図８６に示すように、各側壁部２２１３の前端位置に、係止板部２２２７（「本係止部」及び「仮係止部」の一部）が設けられている。係止板部２２２７は、側面視矩形状となっている。係止板部２２２７は、下方に突出しており、ロアー端子保持部材２２５０と組み合わせた際に、ロアー端子保持部材２２５０の下端位置の若干上方に至る程度に突出している。
【０１２３】
そして、図８４及び図８６に示すように、天井壁部２２１１の上面には、上側に突出したランス係止部２２２８（「第１係合部」の一例）が設けられている。また、ランス係止部２２２８の後方で幅方向外側にずれた位置には一対の係合部２２２９（「第１係合部」の一例）が設けられている。係合部２２２９は、前後方向に伸びたリブ状となっており、ランス係止部２２２８の上端位置と係合部２２２９の上端位置は同じとなっている。
【０１２４】
上側ブラケット保持部２２４０は、図８３及び図８５に示すように、アッパー端子保持部材２２１０の後端部に設けられている。上側ブラケット保持部２２４０の天井壁は、天井壁部２２１１よりも上下方向の寸法が大きくなっており、天井壁部２２１１の上面よりも上側ブラケット保持部２２４０の上面のほうが上に位置している。一方、上側ブラケット保持部２２４０の天井壁の幅寸法は、天井壁部２２１１の幅寸法と同じになっている。
【０１２５】
そして、図８３及び図８５に示すように、上側ブラケット保持部２２４０は、ブラケット２１５０を収容するブラケット収容部２２４１と、電線２１１０を保持する電線保持部２２４３とを備えている。ブラケット収容部２２４１は、その側壁が上方にいくほど幅狭になるテーパー状をなしており、側壁の最も幅が広い下端部がブラケット２１５０の平坦部２１５１と当接する当接部２２４５となっている。また、ブラケット収容部２２４１の側壁の最も幅狭な上端位置では、その天井壁を貫通するような露出孔２２４７が設けられている。そして、この露出孔２２４７にブラケット２１５０の湾曲部２１５３が嵌まるようになっている。電線保持部２２４３は、下方に開口した背面視半円形となっており、その端部に係止爪２２４９が設けられている。
【０１２６】
ロアー端子保持部材２２５０は、合成樹脂製であって、図８３に示すように、アッパー端子保持部材２２１０とともに、端子１１２０の圧着部１１２３及び端子被係止部１１３０を収容する。ロアー端子保持部材２２５０は、底壁部２２５１と、下側前壁部２２５３と、レール壁部２２５５とを備えている。底壁部２２５１は、全体として上面が平坦な平板状となっている。下側前壁部２２５３は、上側挿通溝２２１６とともに端子１１２０の電気接続部１１２１を挿通可能な挿通孔を形成する下側挿通溝２２５７が設けられている。
【０１２７】
ロアー端子保持部材２２５０のレール壁部２２５５は、図９６及び図９８に示すように、アッパー端子保持部材２２１０の側壁部２２１３の幅方向外側から被さるようになっている。レール壁部２２５５は、ロアー端子保持部材２２５０の前端位置から上方に突出する腕部２２６１と、ロアー端子保持部材２２５０の後端部に設けられた後端側壁部２２６７と、ガイド部２２２５と勘合して摺動するレール部２２６３からなる。レール部２２６３は、内側に向かって爪状に突出しており、腕部２２６１から後端側壁部２２６７の後端位置に亘って途切れることなく前後方向（端子１１２０の延び方向）に延びている。そして、レール部２２６３の上端から内側の爪状に向かってＲ形状を描くようになっている。また、レール部２２６３の下面は、ガイド部２２２５の上面と摺動する面となっている。また、底壁部２２５１の腕部２２６１及び後端側壁部２２６７の内側の位置には、Ｒ面を有する溝部２２６５が設けられている。溝部２２６５は、前後方向に伸びており、下側前壁部２２５３の前端位置から底壁部２２５１の後端位置に亘って設けられることで、腕部２２６１及び後端側壁部２２６７が幅方向外側に撓み変形しやすくなっている。
【０１２８】
底壁部２２５１には、図８９及び図９７に示すように、係止板部２２２７が嵌まる貫通レール部２２７０が一対設けられている。貫通レール部２２７０は、底壁部２２５１を板厚方向に貫通しており、腕部２２６１と後端側壁部２２６７との間を前後方向に伸びている。そして、貫通レール部２２７０の幅方向の寸法は、係止板部２２２７の幅方向の寸法と同じか若干大きくなっている。
【０１２９】
そして、貫通レール部２２７０には、係止用凸部２２７１が設けられている。係止用凸部２２７１は、貫通レール部２２７０の後端位置から係止板部２２２７の前後方向の寸法分間をあけ、かつ貫通レール部２２７０の前端位置から係止板部２２２７の前後方向の寸法分間をあけたところに設けられている。係止用凸部２２７１の上下方向の寸法は、底壁部２２５１の上下方向の寸法より小さくなっており、係止用凸部２２７１の下面が底壁部２２５１の下面と面一になっている。係止用凸部２２７１は、貫通レール部２２７０の側面から内側に向かって突出して、貫通レール部２２７０の幅が狭くなることで、係止板部２２２７が前後方向に移動するのを抑制する。より具体的には、係止用凸部２２７１の後端面は、前側にいくにつれて内側に入り込む傾斜面２２７３（「仮係止部」の一例）となっており、この傾斜面２２７３に係止板部２２２７が係止される、そして、係止板部２２２７が前方に移動する力が加わった際には、後端面が傾斜面２２７３となっていることで、係止板部２２２７が係止用凸部２２７１の設けられたところを通り抜けやすくなっている。一方、係止用凸部２２７１の前端面は、貫通レール部２２７０の内側面と直交する直交面２２７５（「本係止部」の一例）となることで、一度通過した係止板部２２２７が後方に戻るのを抑制するようになっている。なお、傾斜面２２７３と直交面２２７５との間は、傾斜面よりも緩やかに徐々に幅狭になるような面となっている。
【０１３０】
貫通レール部２２７０の後端位置には、係止板部２２２７を貫通レール部２２７０に嵌める際にガイドするためのガイド溝２２７７が設けられている。ガイド溝２２７７の下端位置は、係止用凸部２２７１の上下方向の半ばとなっている。ガイド溝２２７７は、幅方向内側から外側に向かって徐々に下側に傾斜することで、係止板部２２２７を貫通レール部２２７０に嵌めやすくしている。
【０１３１】
そして、底壁部２２５１の後端部には、図９６及び図９７に示すように、ブラケット用切り欠き部２２８０が設けられている。ブラケット用切り欠き部２２８０は、底壁部２２５１の後端位置から、前方に向かって切りかかれており、正規位置で組み合わせた際のアッパー端子保持部材２２１０の露出孔２２４７の前端位置と同じ位置まで、切りかかれている。ブラケット用切り欠き部２２８０の内側面は、上方にいくほど幅広になるテーパー状をなしている。また、ブラケット用切り欠き部２２８０には、ブラケット２１５０の下半分が収容可能となっている。
【０１３２】
コネクタハウジング１４００は、実施形態２と同じものとなっている。ここでは、実施形態２においては用いなかった構造について説明する。図９３及び図９４に示すように、キャビティ１４１１の天井壁には、嵌合溝部１４２１が設けられている。嵌合溝部１４２１は、ランス１４１３の両側方に一対設けられている。嵌合溝部１４２１の内寸法は、係合部２２２９の外寸法と同じになっている。また、嵌合溝部１４２１の後方には、一対の嵌合溝部１４２１を連結した連結溝部１４２３が設けられている。連結溝部１４２３は、一対の嵌合溝部１４２１を後方に延ばした間も窪ませている。
【０１３３】
次に、コネクタＣ３の組み立て手順の一例について説明する。
まず、図８３及び図９５に示すように、ブラケット２１５０を先通しした電線２１１０の外部被覆２１１９を皮剥ぎして、信号線２１１１の端末を露出させ、露出させた部分の信号線２１１１のツイストをほどく。そして、信号線２１１１を端子１１２０に接続する。具体的には、信号線２１１１の内部導体２１１３を圧着部１１２３のワイヤバレル１１２５に圧着するとともに、信号線２１１１の内部絶縁被覆２１１５に圧着部１１２３のインシュレーションバレル１１２７をかしめつける。
【０１３４】
次に、図８３及び図９５に示すように、電線２１１０の信号線２１１１に接続された端子１１２０をアッパー端子保持部材２２１０に収容する。各端子１１２０が各収容凹部２２２３に収容されるように、アッパー端子保持部材２２１０の下方から端子１１２０を収容する。このように、下方に開口した収容凹部２２２３に端子１１２０を収容する場合には、１つの端子１１２０を対応する一方の収容凹部２２２３に収容する際に、他の端子１１２０を一方の収容凹部２２２３の外側に退避させるだけなので、端子１１２０の延び方向から端子１１２０を収容する場合に比べて、ツイストをほどく寸法が小さくても良くなる。そのため、ノイズの影響を受けにくくなる。そして、端子１１２０がアッパー端子保持部材２２１０の所定位置に配されると、端子被係止部１１３０が端子係止部１２３０に係止されることで、端子１１２０がアッパー端子保持部材２２１０に対して移動しない状態で保持される。
【０１３５】
そして、図９６に示すように、端子１１２０が収容されたアッパー端子保持部材２２１０をロアー端子保持部材２２５０と組み合わせる。具体的には、アッパー端子保持部材２２１０の下方からロアー端子保持部材２２５０を嵌める。アッパー端子保持部材２２１０のガイド部２２２５を内側に変形させながら、レール部２２６３を外側に変形させることで、互いを乗り越えてガイド部２２２５とレール部２２６３とが摺動移動可能な状態にする。図１０２に示すように、レール部２２６３の下端面とガイド部２２２５の上面とが摺動するように嵌まり合うことで、アッパー端子保持部材２２１０とロアー端子保持部材２２５０とは上下方向に相対移動できなくなる。
【０１３６】
また、図１００及び図１０１に示すように、係止板部２２２７は、ロアー端子保持部材２２５０のガイド溝２２７７にガイドされて、貫通レール部２２７０の後端部に嵌まって、係止用凸部２２７１の傾斜面２２７３に係止される。そして、係止板部２２２７が傾斜面２２７３に係止されている端子先端保護位置では、図９９に示すように、アッパー端子保持部材２２１０から突出する端子１１２０の先端部である電気接続部１１２１が、ロアー端子保持部材２２５０によって覆われた状態で保持されている。また、電気接続部１１２１の先端部が下側前壁部２２５３の下側挿通溝２２５７内に配されている。一方、電線２１１０のブラケット２１５０は、ロアー端子保持部材２２５０によって覆われておらず、露出した状態となっている。
【０１３７】
次に、図１０３、図１０５及び図１０７に示すように、コネクタハウジング１４００内に端子モジュールＭ３を組み付ける。キャビティ１４１１の後端の挿入用開口部１４１９から端子モジュールＭ３を挿入して、前方に押し込む。この際に、係合部２２２９が連結溝部１４２３によって位置決めされることで、端子モジュールＭ３がコネクタハウジング１４００内で傾くのが規制される。そして、係合部２２２９が嵌合溝部１４２１内に嵌まり込むことで、端子モジュールＭ３がコネクタハウジング１４００内で幅方向に移動することを抑制する。そして、コネクタハウジング１４００のランス１４１３がランス係止部２２２８に係止して、端子モジュールＭ３がコネクタハウジング１４００に係止される。
【０１３８】
そして、図１０９及び図１１０に示すように、ロアー端子保持部材２２５０を後方に押し込む。治具１５００をコネクタハウジング１４００のフード部１４３０の前方から嵌める。そして、フード部１４３０を治具フード部１５４０内に嵌合して、端子１１２０の先端が端子保護部１５１０に突き当たった状態で、押し込み部１５３０を後方に押し込む。すると、押し込み部１５３０がロアー端子保持部材２２５０の前端面に当たり、アッパー端子保持部材２２１０のガイド部２２２５とロアー端子保持部材２２５０のレール部２２６３とが互いに摺動しながら、ロアー端子保持部材２２５０は後方に押し込まれる。
【０１３９】
ロアー端子保持部材２２５０が後方に押し込まれる際には、図１１２に示すように、アッパー端子保持部材２２１０の係止板部２２２７はロアー端子保持部材２２５０の貫通レール部２２７０の係止用凸部２２７１の傾斜面２２７３を乗り越えて相対的に前方に移動する。そして、係止板部２２２７が貫通レール部２２７０の前端位置に当接して停止すると、ロアー端子保持部材２２５０もそれ以上後方に移動できなくなり、押し込みが停止される。
【０１４０】
ロアー端子保持部材２２５０がアッパー端子保持部材２２１０と完全に重なり、正規位置に至ると、図１１１及び図１１２に示すように、端子接続部１１２１が端子保持部材２２００から突出した状態で、コネクタハウジング１４００のフード部１４３０内に収容される。一方、端子被係止部１１３０と圧着部１１２３はロアー端子保持部材２２５０とアッパー端子保持部材２２１０との間に挟まれて収容される。また、図１１４に示すように、ブラケット２１５０は、ブラケット収容部２２４１とブラケット用切り欠き部２２８０の間に挟まれて収容される。ブラケット収容部２２４１の係止爪２２４９がレール部２２６３の後端部に係止して、アッパー端子保持部材２２１０とロアー端子保持部材２２５０の後端部が上下方向に分離するのを抑制する。また、係止板部２２２７は、貫通レール部２２７０の前端位置に配されて、相対的に後方に戻らない状態で係止用凸部２２７１の直交面２２７５に係止されることで、ロアー端子保持部材２２５０はアッパー端子保持部材２２１０に対して前後方向に固定される。
【０１４１】
なお、ロアー端子保持部材２２５０がアッパー端子保持部材２２１０に対して前方に移動する際には、アッパー端子保持部材２２１０の端子係止部１２３０に対して端子１１２０の端子被係止部１１３０が嵌り合っていることから、ロアー端子保持部材２２５０が移動する際に端子１１２０がずれ動くことが抑制される。また、アッパー端子保持部材２２１０がコネクタハウジング１４００のランス１４１３によって係止されており、係合部２２２９が嵌合溝部１４２１内に保持されている。そのため、ロアー端子保持部材２２５０が移動しても、アッパー端子保持部材２２１０が移動することを防止できる。そのため、ロアー端子保持部材２２５０を治具１５００によって押し込んだ際にアッパー端子保持部材２２１０に対して移動させやすくなっている。
【０１４２】
以上のように、本実施形態３のコネクタＣ３及び端子モジュールＭ３によれば、コネクタハウジング１４００の端子１１２０の延び方向に設けられた挿入用開口部１４１９から端子モジュールＭ３を挿入するため、端子１１２０の先端部である電気接続部１１２１が最初に挿入されるために、端子１１２０の電気接続部１１２１を露出した状態では電気接続部１１２１をコネクタハウジング１４００の壁面に接触しやすい。そのため、所定位置に収容されるまでは、端子１１２０の電気接続部１１２１が保護される端子モジュールＭ３を用いるのが好適である。また、本実施形態３においては、外導体シェルを用いていないが、コネクタハウジング１４００を実施形態２のように外導体シェルを用いる場合と共用しているため、製造コストを低減することができる。
【０１４３】
＜他の実施形態＞
本明細書で開示される技術は上記記述及び図面によって説明した実施形態に限定されるものではなく、例えば次のような実施形態も技術的範囲に含まれる。
（１）上記実施形態１及び２では、外導体シェル３０、１３００は、ロアー外導体シェル３１、１３０１とアッパー外導体シェル３３、１３０３に分割されていたが、一体となっていても良い。その場合には、後方などに設けた開口から端子保持部材６０、１２００を挿入しても良い。
【０１４４】
（２）上記実施形態1では、アッパー端子保持部材６５の係合部９５がロアー外導体シェル３１の切欠き部４７に係合することで、ロアー外導体シェル３１に対して前後方向に移動できないように固定されていたが、他の方法で前後方向への移動を規制しても良い。また、アッパー端子保持部材６５の前後方向への移動を規制する方法を設けなくても良い。
【０１４５】
（３）上記実施形態２、３では、アッパー端子保持部材１２１０、２２１０が外導体シェル１３００もしくはコネクタハウジング１４００に対して前後方向に移動できないように固定されていたが、他の方法もしくは一部の方法で前後方向への移動を規制しても良い。また、アッパー端子保持部材１２１０、２２１０の前後方向への移動を規制する方法を設けなくても良い。
【０１４６】
（４）上記実施形態１では、ロアー端子保持部材６１の係止部７５がロアー外導体シェル３１の被係止部４９に係止することで、正規位置に至ったロアー端子保持部材６１が固定されていたが、他の方法で固定しても良い。また、ロアー端子保持部材６１は、アッパー端子保持部材６５に対して固定されるようにしても良い。また、実施形態２及び実施形態３についても、ロアー端子保持部材とアウターハウジングとの間の係止構造を設けても良い。
【０１４７】
（５）上記実施形態１には、本係止部と仮係止部を設けていないが、設けても良い。また、上記実施形態２及び３には、貫通レール部１２７０、２２７０内の凸部１２７１、１２７３、２２７１に係止板部１２２７、２２２７が係止することで本係止部と仮係止部としたが、他の方法で係止しても良い。
【０１４８】
（６）上記実施形態１〜３には、信号線は２本となっているが、１本であっても良いし、３本以上であっても良い。
【０１４９】
（７）上記実施形態１〜３には、端子被係止部２５、１１３０が端子係止部７９、１２３０に係止することで、端子２０、１１２０が端子保持部材６０、１２００、２２００に保持されていたが、他の構造によって保持されていても良い。
【０１５０】
（８）上記実施形態２、３では、治具１５００、１５５０によってロアー端子保持部材１２５０、２２５０を移動したが、相手側コネクタとの嵌合時に、相手側コネクタのコネクタハウジングなどに押させることで、ロアー端子保持部材１２５０、２２５０を移動しても良い。
【符号の説明】
【０１５１】
１０…シールド電線
１１…信号線
２０…端子
２１…電気接続部（先端部）
２３…圧着部（接続部分）
２５…端子被係止部
３０…外導体シェル
３１…ロアー外導体シェル（一方の外導体シェル）
３１Ａ…開口部
３３…アッパー外導体シェル（他方の外導体シェル）
４１…ロアー本体部
４３…ロアーバレル部
４７…切欠き部
４９…被係止部
５１…アッパー本体部
５３…アッパーバレル部
５３Ａ…上板部
５７…係止孔
５９…ランス係止部
６０…端子保持部材
６１…ロアー端子保持部材（第１の端子保持部材）
６５…アッパー端子保持部材（第２の端子保持部材）
７５…係止部（第１係止部）
７８…収容凹部
７９…端子係止部
９５…係合部（第２係合部）
Ｃ１…コネクタ
Ｍ１…端子モジュール
１１１０…シールド電線
１１１１…信号線
２１１０…電線
２１１１…信号線
１１２０…端子
１１２１…電気接続部（先端部）
１１２３…圧着部（接続部分）
１１３０…端子被係止部
２１５０…ブラケット
１２００、２２００…端子保持部材
１２１０、２２１０…アッパー端子保持部材（第１端子保持部材）
１２２３、２２２３…収容凹部
１２２７、２２２７…係止板部（本係止部、仮係止部）
２２２８…ランス係止部（第１係合部）
２２２９…係合部（第１係合部）
１２３０…端子係止部
１２４１…係合凹部（第１係合部）
１２４３…係合部（第１係合部）
１２４５…係合凸部（第１係合部）
１２４７…係合爪部（第１係合部）
１２５０、２２５０…ロアー端子保持部材（第２端子保持部材）
１２７０、２２７０…貫通レール部
１２７１…仮係止凸部（仮係止部）
１２７３…本係止凸部（本係止部）
２２７１…係止用凸部
２２７３…傾斜面（仮係止部）
２２７５…直交面（本係止部）
１３００…外導体シェル
１３０１…ロアー外導体シェル（一方の外導体シェル）
１３０３…アッパー外導体シェル（他方の外導体シェル）
１３０９…開口部
１３１０…ロアー本体部
１３４０…ロアーバレル部
１３５０…アッパー本体部
１３８０…アッパーバレル部
１４００…コネクタハウジング
１５００、１５５０…治具
Ｃ２、Ｃ３…コネクタ
Ｍ２、Ｍ３…端子モジュール
Ｓ２…コネクタサブアッシー
【図１】
0006680359.tif 000002
【図２】
0006680359.tif 000003
【図３】
0006680359.tif 000004
【図４】
0006680359.tif 000005
【図５】
0006680359.tif 000006
【図６】
0006680359.tif 000007
【図７】
0006680359.tif 000008
【図８】
0006680359.tif 000009
【図９】
0006680359.tif 000010
【図１０】
0006680359.tif 000011
【図１１】
0006680359.tif 000012
【図１２】
0006680359.tif 000013
【図１３】
0006680359.tif 000014
【図１４】
0006680359.tif 000015
【図１５】
0006680359.tif 000016
【図１６】
0006680359.tif 000017
【図１７】
0006680359.tif 000018
【図１８】
0006680359.tif 000019
【図１９】
0006680359.tif 000020
【図２０】
0006680359.tif 000021
【図２１】
0006680359.tif 000022
【図２２】
0006680359.tif 000023
【図２３】
0006680359.tif 000024
【図２４】
0006680359.tif 000025
【図２５】
0006680359.tif 000026
【図２６】
0006680359.tif 000027
【図２７】
0006680359.tif 000028
【図２８】
0006680359.tif 000029
【図２９】
0006680359.tif 000030
【図３０】
0006680359.tif 000031
【図３１】
0006680359.tif 000032
【図３２】
0006680359.tif 000033
【図３３】
0006680359.tif 000034
【図３４】
0006680359.tif 000035
【図３５】
0006680359.tif 000036
【図３６】
0006680359.tif 000037
【図３７】
0006680359.tif 000038
【図３８】
0006680359.tif 000039
【図３９】
0006680359.tif 000040
【図４０】
0006680359.tif 000041
【図４１】
0006680359.tif 000042
【図４２】
0006680359.tif 000043
【図４３】
0006680359.tif 000044
【図４４】
0006680359.tif 000045
【図４５】
0006680359.tif 000046
【図４６】
0006680359.tif 000047
【図４７】
0006680359.tif 000048
【図４８】
0006680359.tif 000049
【図４９】
0006680359.tif 000050
【図５０】
0006680359.tif 000051
【図５１】
0006680359.tif 000052
【図５２】
0006680359.tif 000053
【図５３】
0006680359.tif 000054
【図５４】
0006680359.tif 000055
【図５５】
0006680359.tif 000056
【図５６】
0006680359.tif 000057
【図５７】
0006680359.tif 000058
【図５８】
0006680359.tif 000059
【図５９】
0006680359.tif 000060
【図６０】
0006680359.tif 000061
【図６１】
0006680359.tif 000062
【図６２】
0006680359.tif 000063
【図６３】
0006680359.tif 000064
【図６４】
0006680359.tif 000065
【図６５】
0006680359.tif 000066
【図６６】
0006680359.tif 000067
【図６７】
0006680359.tif 000068
【図６８】
0006680359.tif 000069
【図６９】
0006680359.tif 000070
【図７０】
0006680359.tif 000071
【図７１】
0006680359.tif 000072
【図７２】
0006680359.tif 000073
【図７３】
0006680359.tif 000074
【図７４】
0006680359.tif 000075
【図７５】
0006680359.tif 000076
【図７６】
0006680359.tif 000077
【図７７】
0006680359.tif 000078
【図７８】
0006680359.tif 000079
【図７９】
0006680359.tif 000080
【図８０】
0006680359.tif 000081
【図８１】
0006680359.tif 000082
【図８２】
0006680359.tif 000083
【図８３】
0006680359.tif 000084
【図８４】
0006680359.tif 000085
【図８５】
0006680359.tif 000086
【図８６】
0006680359.tif 000087
【図８７】
0006680359.tif 000088
【図８８】
0006680359.tif 000089
【図８９】
0006680359.tif 000090
【図９０】
0006680359.tif 000091
【図９１】
0006680359.tif 000092
【図９２】
0006680359.tif 000093
【図９３】
0006680359.tif 000094
【図９４】
0006680359.tif 000095
【図９５】
0006680359.tif 000096
【図９６】
0006680359.tif 000097
【図９７】
0006680359.tif 000098
【図９８】
0006680359.tif 000099
【図９９】
0006680359.tif 000100
【図１００】
0006680359.tif 000101
【図１０１】
0006680359.tif 000102
【図１０２】
0006680359.tif 000103
【図１０３】
0006680359.tif 000104
【図１０４】
0006680359.tif 000105
【図１０５】
0006680359.tif 000106
【図１０６】
0006680359.tif 000107
【図１０７】
0006680359.tif 000108
【図１０８】
0006680359.tif 000109
【図１０９】
0006680359.tif 000110
【図１１０】
0006680359.tif 000111
【図１１１】
0006680359.tif 000112
【図１１２】
0006680359.tif 000113
【図１１３】
0006680359.tif 000114